(57)【要約】  本明細書において、ネットワーク支援干渉除去及び抑圧（NAICS）受信機のための電力オフセットシグナリング技術が説明される。1つの実施形態において、ユーザ機器（UE）は、少なくとも1つの無線周波数（RF）トランシーバと、少なくとも1つのRFアンテナと、少なくとも一部がハードウェアの形態で構成されるロジックとを含み、そのロジックは、RadioResourceConfigDedicatedフィールドを含む無線リソース制御（RRC）接続制御メッセージを受信し、そのRRC接続制御メッセージの受信に応答して無線リソース構成手順を実行する。RRC接続制御メッセージは、ネットワーク支援干渉除去及び抑圧（NAICS）アシスタンス情報を含むように構成され、NAICSアシスタンス情報は、UEのサービングセルの物理ダウンリンク共有チャネル（PDSCH）を介する当該UEへの1つ又は複数の送信のための電力オフセット値を特定する。他の実施形態は、特許請求の範囲に記載される。
2017522778.tif 000002
【特許請求の範囲】
【請求項１】
装置であって、
少なくとも一部がハードウェアの形態であるロジックを含み、前記ロジックは、無線リソース制御（RRC）接続制御メッセージを送信し、前記無線リソース制御（RRC）接続制御メッセージは、ネットワーク支援干渉除去及び抑圧（NAICS）アシスタンス情報を含み、前記ネットワーク支援干渉除去及び抑圧（NAICS）アシスタンス情報は、進化型NodeB（eNB）によってサービスを提供されるセルの物理ダウンリンク共有チャネル（PDSCH）を介する直角位相シフトキーイング（QPSK）変調されるセル無線ネットワーク一時識別子（C-RNTI）ベースの送信のために選択される電力オフセット値を特定する、
装置。
【請求項２】
前記ネットワーク支援干渉除去及び抑圧（NAICS）アシスタンス情報は、無線リソース制御（RRC）接続制御メッセージのRadioResourceConfigDedicatedフィールドの中に含まれるように構成される、請求項１に記載の装置。
【請求項３】
前記電力オフセット値は、電力オフセットパラメータのための値を含むように構成され、前記電力オフセットパラメータは、リソースエレメントごとの物理ダウンリンク共有チャネル（PDSCH）エネルギー（PDSCH  EPRE）とリソースエレメントごとのセル特有参照信号（CRS）エネルギー（CRS  EPRE）との間の比率を決定する、請求項１に記載の装置。
【請求項４】
前記ロジックは、前記物理ダウンリンク共有チャネル（PDSCH）を介する前記直角位相シフトキーイング（QPSK）変調されるセル無線ネットワーク一時識別子（C-RNTI）ベースの送信のための前記電力オフセット値及び前記物理ダウンリンク共有チャネル（PDSCH）を介する直交振幅変調（QAM）される送信のための電力オフセット値を、複数の値の1つの共通のセットから選択するように構成される、請求項１に記載の装置。
【請求項５】
前記ロジックは、-6dB、-4.77dB、-3dB、-1.77dB、0dB、1dB、2dB、及び3dBを含む値の1つの定義されるセットから、前記物理ダウンリンク共有チャネル（PDSCH）を介する前記直角位相シフトキーイング（QPSK）変調されるセル無線ネットワーク一時識別子（C-RNTI）ベースの送信のための前記電力オフセット値を選択するように構成される、請求項１に記載の装置。
【請求項６】
前記無線リソース制御（RRC）接続制御メッセージは、RRCConnectionSetupメッセージ、RRCConnectionReestablishmentメッセージ、又はRRCConnectionReconfigurationメッセージを含むように構成される、請求項１に記載の装置。
【請求項７】
前記ロジックと通信可能に接続される1つ又は複数の無線周波数（RF）トランシーバと、
1つ又は複数の無線周波数（RF）アンテナとを含み、前記1つ又は複数の無線周波数（RF）アンテナの各々は、前記1つ又は複数の無線周波数（RF）トランシーバのうちの少なくとも1つと通信可能に接続される、請求項１乃至６のいずれか1項に記載の装置。
【請求項８】
装置であって、
少なくとも一部がハードウェアの形態であるロジックを含み、前記ロジックは、RadioResourceConfigDedicatedフィールドを含む受信した無線リソース制御（RRC）接続制御メッセージを処理し、前記無線リソース制御（RRC）接続制御メッセージの受信に応答して無線リソース構成手順を実行し、前記無線リソース制御（RRC）接続制御メッセージは、ネットワーク支援干渉除去及び抑圧（NAICS）アシスタンス情報を含むように構成され、前記ネットワーク支援干渉除去及び抑圧（NAICS）アシスタンス情報は、ユーザ機器（UE）のサービングセルの物理ダウンリンク共有チャネル（PDSCH）を介する前記ユーザ機器（UE）への1つ又は複数の送信のための電力オフセット値を特定する、装置。
【請求項９】
前記1つ又は複数の送信は、直角位相シフトキーイング（QPSK）変調されるセル無線ネットワーク一時識別子（C-RNTI）ベースの送信を含む、請求項８に記載の装置。
【請求項１０】
前記無線リソース制御（RRC）接続制御メッセージは、前記サービングセルの前記物理ダウンリンク共有チャネル（PDSCH）を介する前記ユーザ機器（UE）への1つ又は複数の直交振幅変調（QAM）される送信のための電力オフセット値を特定する情報を含むように構成される、請求項９に記載の装置。
【請求項１１】
前記ネットワーク支援干渉除去及び抑圧（NAICS）アシスタンス情報は、前記RadioResourceConfigDedicatedフィールドのサブフィールドの中に含まれるように構成される、請求項８に記載の装置。
【請求項１２】
前記電力オフセット値は、-6dB、-4.77dB、-3dB、-1.77dB、0dB、1dB、2dB、及び3dBを含む値の1つの定義されるセットに含まれるように構成される、請求項８に記載の装置。
【請求項１３】
前記無線リソース制御（RRC）接続制御メッセージは、RRCConnectionSetupメッセージ、RRCConnectionReestablishmentメッセージ、又はRRCConnectionReconfigurationメッセージを含むように構成される、請求項８に記載の装置。
【請求項１４】
請求項８乃至１３のいずれか1項に記載の装置と、
少なくとも1つの無線周波数（RF）トランシーバと、
少なくとも1つの無線周波数（RF）アンテナとを含む、
システム。
【請求項１５】
タッチスクリーンディスプレイを含む、請求項１４に記載のシステム。
【請求項１６】
複数の命令の1つのセットを含むコンピュータプログラムであって、進化型NodeB（eNB）によって前記複数の命令の1つのセットを実行することに応答して、前記進化型NodeB（eNB）は、
前記進化型NodeB（eNB）によってサービスを提供されるセルの物理ダウンリンク共有チャネル（PDSCH）を介する直角位相シフトキーイング（QPSK）変調されるセル無線ネットワーク一時識別子（C-RNTI）ベースの送信のための電力オフセット値を含む第1の電力オフセット値を選択し、
前記進化型NodeB（eNB）によってサービスを提供される前記セルの前記物理ダウンリンク共有チャネル（PDSCH）を介する直交振幅変調（QAM）される送信のための電力オフセット値を含む第2の電力オフセット値を選択し、
無線リソース制御（RRC）接続制御メッセージを送信し、前記無線リソース制御（RRC）接続制御メッセージは、RadioResourceConfigDedicatedフィールドを収容し、前記RadioResourceConfigDedicatedフィールドは、前記第1の電力オフセット値及び前記第2の電力オフセット値を含む、
コンピュータプログラム。
【請求項１７】
前記RadioResourceConfigDedicatedフィールドは、ネットワーク支援干渉除去及び抑圧（NAICA）アシスタンス情報を含むように構成され、前記ネットワーク支援干渉除去及び抑圧（NAICS）アシスタンス情報は、前記第1の電力オフセット値を特定する、請求項１６に記載のコンピュータプログラム。
【請求項１８】
前記ネットワーク支援干渉除去及び抑圧（NAICS）アシスタンス情報は、前記RadioResourceConfigDedicatedフィールドのサブフィールドの中に含まれるように構成される、請求項１７に記載のコンピュータプログラム。
【請求項１９】
前記進化型NodeB（eNB）によって前記複数の命令の1つのセットを実行することに応答して、前記進化型NodeB（eNB）に、複数の値の1つの共通のセットから前記第1の電力オフセット値及び前記第2の電力オフセット値を選択させる命令を含む、請求項１６に記載のコンピュータプログラム。
【請求項２０】
前記進化型NodeB（eNB）によって前記複数の命令の1つのセットを実行することに応答して、前記進化型NodeB（eNB）に、-6dB、-4.77dB、-3dB、-1.77dB、0dB、1dB、2dB、及び3dBを含む値の1つの定義されるセットから、前記第1の電力オフセット値を選択させる命令を含む、請求項１６に記載のコンピュータプログラム。
【請求項２１】
前記無線リソース制御（RRC）接続制御メッセージは、RRCConnectionSetupメッセージ、RRCConnectionReestablishmentメッセージ、又はRRCConnectionReconfigurationメッセージを含むように構成される、請求項１６に記載のコンピュータプログラム。
【請求項２２】
複数の命令の1つのセットを含むコンピュータプログラムであって、ユーザ機器（UE）によって前記複数の命令の1つのセットを実行することに応答して、前記ユーザ機器（UE）は、
受信した無線リソース制御（RRC）接続制御メッセージを特定し、
前記無線リソース制御（RRC）接続制御メッセージに含まれるRadioResourceConfigDedicatedフィールドに基づいて無線リソース構成手順を実行し、前記RadioResourceConfigDedicatedフィールドは、ネットワーク支援干渉除去及び抑圧（NAICS）アシスタンス情報を含むように構成され、前記ネットワーク支援干渉除去及び抑圧（NAICS）アシスタンス情報は、前記ユーザ機器（UE）のサービングセルの物理ダウンリンク共有チャネル（PDSCH）を介する前記ユーザ機器（UE）への直角位相シフトキーイング（QPSK）変調されるセル無線ネットワーク一時識別子（C-RNTI）ベースの送信のための電力オフセット値を指定する、
コンピュータプログラム。
【請求項２３】
前記ネットワーク支援干渉除去及び抑圧（NAICS）アシスタンス情報は、前記RadioResourceConfigDedicatedフィールドのサブフィールドの中に含まれるように構成される、請求項２２に記載のコンピュータプログラム。
【請求項２４】
前記RadioResourceConfigDedicatedフィールドは、前記サービングセルの前記物理ダウンリンク共有チャネル（PDSCH）を介する前記ユーザ機器（UE）への直交振幅変調（QAM）される送信のための電力オフセット値を特定する情報を含むように構成される、請求項２２に記載のコンピュータプログラム。
【請求項２５】
前記電力オフセット値は、-6dB、-4.77dB、-3dB、-1.77dB、0dB、1dB、2dB、及び3dBを含む値の1つの定義されるセットに含まれるように構成される、請求項２２に記載のコンピュータプログラム。
【請求項２６】
前記無線リソース制御（RRC）接続制御メッセージは、RRCConnectionSetupメッセージ、RRCConnectionReestablishmentメッセージ、又はRRCConnectionReconfigurationメッセージを含むように構成される、請求項２２に記載のコンピュータプログラム。
【請求項２７】
前記ユーザ機器（UE）によって前記複数の命令の1つのセットを実行することに応答して、前記ユーザ機器（UE）の前記サービングセルの前記物理ダウンリンク共有チャネル（PDSCH）を介する前記ユーザ機器（UE）への前記直角位相シフトキーイング（QPSK）変調されるセル無線ネットワーク一時識別子（C-RNTI）ベースの送信のための前記電力オフセット値に基づいて、前記ユーザ機器（UE）に、1つ又は複数のネットワーク支援干渉除去及び抑圧（NAICS）セル間干渉軽減アルゴリズムを適用させる命令を含む、請求項２２に記載のコンピュータプログラム。
【請求項２８】
請求項１６乃至２１のいずれか１項に記載のコンピュータプログラムを格納している非一時的コンピュータ読み取り可能な記憶媒体。
【請求項２９】
請求項２２乃至２７のいずれか１項に記載のコンピュータプログラムを格納している非一時的コンピュータ読み取り可能な記憶媒体。
【発明の詳細な説明】
【技術分野】
【０００１】
本明細書で記載される複数の実施形態は、概して、広帯域無線通信ネットワークにおける複数のデバイスの間の通信に関する。
【背景技術】
【０００２】
ネットワーク支援干渉除去及び抑圧（NAICS）は、セル間の干渉軽減のための新たに出現したアプローチである。NAICS技術の実装は、一般的に、複数の干渉軽減アルゴリズムのUE側での適用を伴い、それらの干渉軽減アルゴリズムは、複数の隣接セルにおける送信がサービングセルにおけるUEへの送信に干渉する程度を減少させる。一般的には、互いに干渉する複数の送信の構造、空間特性、及び/又は他の特性に関するUEが持つ知識が多くなればなるほど、NAICS干渉軽減によりスペクトル効率ゲインを達成する機会がより多くなる。そのような複数の送信の上記の構造、空間特性、及び/又は他の特性は、大部分は、ネットワーク側のさまざまなパラメータによって決定される。NAICSによるセル間干渉の軽減をサポートするために、１つ又は複数の上記のネットワーク側のパラメータをUEに提供するのが望ましい。
【図面の簡単な説明】
【０００３】
【図１】第1の動作環境の実施形態を示す図である。
【図２】無線チャネルの実施形態を示す図である。
【図３】第2の動作環境の実施形態を示す図である。
【図４】第1の論理フローの実施形態を示す図である。
【図５】第2の論理フローの実施形態を示す図である。
【図６】第3の論理フローの実施形態を示す図である。
【図７Ａ】第1の記憶媒体の実施形態を示す図である。
【図７Ｂ】第2の記憶媒体の実施形態を示す図である。
【図８】デバイスの実施形態を示す図である。
【図９】無線ネットワークの実施形態を示す図である。
【発明を実施するための形態】
【０００４】
さまざまな実施形態は、概して、ネットワーク支援干渉除去及び抑圧（NACIS）受信機のための電力オフセットシグナリング技術を対象としている。1つの実施形態において、例えば、ユーザ機器（UE）は、少なくとも1つの無線周波数（RF）トランシーバ、少なくとも1つのRFアンテナ、及びロジックを含んでもよく、これらのうちの少なくとも一部はハードウェアとして実装され、ロジックは、RadioResourceConfigDedicatedフィールドを含む無線リソース制御（RRC）接続制御メッセージを受信し、RRC接続制御メッセージの受信に応答して無線リソース構成手順を実行し、RRC接続制御メッセージは、ネットワーク支援干渉除去及び抑圧（NAICS）支援情報を含み、ネットワーク支援干渉除去及び抑圧（NACIS）支援情報は、UEのサービングセルの物理ダウンリンク共有チャネル（PDSCH）を介するUEへの1つ又は複数の送信のための電力オフセット値を特定する。他の実施形態が本明細書中で説明され、特許請求の範囲に記載される。
【０００５】
さまざまな実施形態は1つ又は複数の要素を含んでもよい。1つの要素は、ある複数の動作を実行するように構成されるいずれかの構造を含んでもよい。そのような要素の各々は、設計パラメータ又は性能上の制約の所与のセットが要求するところに従って、ハードウェア、ソフトウェア、又はこれらのいずれかの組み合わせとして実装されてもよい。ある1つの実施形態は、例を用いてある1つのトポロジーで限定された数の要素を用いて説明されるが、その実施形態は、所与の実装が要求するところに従って代替的なトポロジーでより少ない又はより多い要素を含んでもよい。「1つの実施形態」または「ある実施形態」を参照することが、その実施形態と関連して説明されるある特定の特徴、構造、又は特性が少なくとも1つの実施形態に含まれるということを意味するということは、特記に値することである。本明細書においてさまざまな場所に「1つの実施形態において」、「いくつかの実施形態において」、及び「さまざまな実施形態において」との記載が出現するが、これらの記載は、同一の実施形態をすべて参照するということを必然的には意味するものではない。
【０００６】
本明細書中で開示される技術は、1つ又は複数の無線モバイルブロードバンド技術を使用しての１つ又は複数の無線接続を介するデータの送信に関してもよい。例えば、さまざまな実施形態は、第3世代パートナーシッププロジェクト（3GPP）、3GPPロングタームエボリューション（LTE）、及び/又は3GPP  LTEアドバンスト（LTE-A）技術及び/又は規格、のみならずこれらの先行規格、修正版、後継規格、及び/又は変更版のうちの1つ又は複数に従った1つ又は複数の無線接続を介しての複数の送信を伴ってもよい。さまざまな実施形態は、さらに又は代替的に、Global  System  for  Mobile  communication（GSM）/Enhanced  Data  rates  for  GSM  Evolution（EDGE）、ユニバーサル移動体通信システム（UMTS）/高速パケットアクセス（HSPA）及び/又は汎用パケット無線サービス（GPRS）システムを有するGSM（GSM/GPRS）技術及び/又は規格、のみならずこれらの先行規格、修正版、後継規格、及び/又は変更版のうちの1つ又は複数に従った複数の送信を伴ってもよい。
【０００７】
無線モバイルブロードバンド技術及び/又は規格の例は、限定的な意図ではなく、アメリカ電気電子通信学会（IEEE）802.16m及び/又はIEEE802.16p、International  Mobile  Telecommunications  Advanced（IMT-ADV）、Worldwide  Interoperability  for  Microwave  Access（WiMAX）及び/又はWiMAXII、（符号分割多元接続（CDMA）2000  1xRTT、CDMA2000EV-DO、CDMA  EV-DO等の）CDMA2000、高性能無線大都市圏ネットワーク（HIPERMAN）、無線ブロードバンド（WiPro）、高速ダウンリンクパケットアクセス（HADPA）、高速直交周波数分割多重（OFDM）パケットアクセス（HAOPA）、高速アップリンクパケットアクセス（HSUPA）技術及び/又は規格、のみならずこれらの先行規格、修正版、後継規格、及び/又は変更版のうちのいずれかを含んでもよい。
【０００８】
さらに又は代替的に、いくつかの実施形態は、他の無線通信技術及び/又は規格に従った無線通信を伴ってもよい。さまざまな実施形態で使用されうる他の無線通信技術及び/又は規格の例は、限定的な意図ではなく、IEEE802.11、IEEE802.11a、IEEE802.11b、IEEE802.11g、IEEE802.11n、IEEE802.11u、IEEE802.11ac、IEEE802.11ad、IEEE802.11af、及び/又はIEEE80.11ah規格等の他のIEEE無線通信規格、IEEE802.11高効率WLAN（HEW）スタディグループによる発展型の高効率Wi-Fi規格、Wi-Fi、Wi-Fiダイレクト、Wi-Fiダイレクトサービス、無線ギガビット（WiGig）、WiGigディスプレイエクステンション（WDE）、WiGigバスエクステンション（WBE）、WiGigシリアルエクステンション（WSE）、及び/又はWi-Fiアライアンス（WFA）近隣認識ネットワーキング（NAN）タスクグループによる発展型の規格等のWi-Fiアライアンス（WFA）無線通信規格、3GPP技術報告（TR）23.887、3GPP技術仕様書（TS）22.368、及び/又は3GPP  TS  23.682によって実装される企画等のマシンタイプ通信（MTC）、及び/又は近距離無線通信（NFC）フォーラムによる発展型の規格等の近距離無線通信（NFC）規格、のみならずこれらの先行規格、修正版、後継規格、及び/又は変更版のうちのいずれかを含んでもよい。実施形態は、上記の例には限定されない。
【０００９】
1つ又は複数の無線接続を介する通信に加えて、本明細書において開示される技術は、1つ又は複数の有線通信媒体を使用した1つ又は複数の有線接続を介するコンテンツの通信に関していてもよい。有線通信媒体の例は、ワイヤ、ケーブル、金属鉛、プリント回路基板（PCB）、バックプレーン、スイッチファブリック、半導体材料、ツイストペア線、同軸ケーブル、光ファイバ等を含んでもよい。実施形態は以上にかんがみ限定されることはない。
【００１０】
図1は、さまざまな実施形態を代表する動作環境100の一例を図示している。動作環境100において、ユーザ機器（UE）102は、サービング進化型NodeB（eNB）104によって無線接続性を提供され、サービングeNB104は、通常、サービングセル106内で無線サービスを提供する。近隣のeNB108は、（図示されていない）近隣のセルにサービスを提供する。サービングeNB104及び近隣のeNB108は、X2インターフェイス接続110によって通信可能に接続されている。サービングeNB104は、サービングセル106の物理ダウンリンク共有チャネル（PDSCH）を介してUE102にデータを送信するように動作可能であってもよい。同様にして、近隣のeNB108は、近隣セルのPDSCHを介して近隣セル内の複数のUEにデータを送信するように動作可能であってもよい。実施形態は、図1に示されている要素には限定されない。
【００１１】
図2は、いくつかの実施形態において図1のサービングeNB104及び近隣のeNB108がデータを送信することが可能なPDSCHを表すPDSCH200を図示している。より具体的には、図2は、複数の異なるタイプのリソースエレメント（RE）がPDSCH200を介して送信されうるそれぞれの電力を図示している。図2では、複数の送信電力が複数のREの1つのブロックについて示されており、それらのREのブロックは、時間領域で5つのOFDMシンボルを含み、周波数領域で12個のサブキャリアを含んでいる。各REの図示されている高さは、そのREが送信されるそれぞれの電力を示している。これらのREのうちの2つは、セル特有参照信号（CRS）のRE202であり、残りのREは、PDSCHのRE204である。以降では、CRSのREが送信されている間のOFDMシンボルは、“CRSのOFDMシンボル”と称され、CRSのREが送信されていない間のOFDMシンボルは、“非CRSのOFDMシンボル”と称されるものとする。
【００１２】
図2に示されているように、1つの共通の電力レベルが、非CRSのOFDMシンボルが送信されている間のPDSCHのRE204のすべてに関して適用される。他の第2の共通の電力レベルが、CRSのRE202に関して適用され、第3の共通の電力レベルが、CRSのOFDMシンボルが送信されている間のPDSCHのRE204に関して適用される。PDSCH200を介して送信するeNBは、PDSCH電力オフセットPAに従ってそのような電力で送信してもよい。図2に示されているように、PDSCH電力オフセットPAは、CRSのRE202のために使用される送信電力と非CRSのOFDMシンボルが送信されている間のPDSCHのRE204に使用される送信電力との間の差、同様に考えると、これらの送信電力の比率を定義していてもよい。
【００１３】
図1を参照すると、さまざまな環境下で、近隣セルのPDSCHを介するダウンリンク（DL）送信は、サービングセル106内のPDSCHを介してサービングeNB104からUE102へのDL送信と干渉する傾向にあってもよい。そのようなセル間の干渉を軽減するアプローチのうちの1つは、ネットワーク支援干渉除去/抑圧（NAICS）技術を適用することである。NAICS技術によれば、UEがサービングeNBからDL送信を受信する際に、そのUEは、さまざまなアルゴリズムを使用して、それらのDL送信が影響を受けるセル間干渉を軽減してもよい。例えば、図1のサービングeNB104からのDL送信を受信するのと関連して、UE102は、複数のNAICS技術を適用して、近隣のeNB108による同時のDL送信がサービングeNB104からのDL送信に干渉する程度を軽減してもよい。NAICSがUEにより実行される干渉軽減に関している点で、NAICSは、“UE側の”アプローチとして考えられている。
【００１４】
NAICSは一般的にはUE側のアプローチを構成するが、ネットワーク側のパラメータの知識を利用することによりその有効性を強化することができるということに留意すべきである。上記のネットワーク側のパラメータは、サービングセル106内の通信に関する複数のパラメータのみならず、近隣セル内の通信に関する複数のパラメータを含んでもよい。送信電力情報は、NAICS技術のUEによる適用と関連して有意な値となりうる情報の1つの典型である。干渉する複数のPDSCH送信との関連で、CRSのRE及びPDSCHのREが送信されるそれぞれの電力の比率の固有の知識は、それらの電力の比率の推定値を利用するにすぎないアルゴリズムと比較して、より有意義なNAICSアルゴリズムの適用を可能とすることができる。PDSCH電力オフセットはそれらに対応するそれぞれの電力の間の比率を決定するので、PDSCH電力オフセットは、1つ又は複数の実装される構成のいずれの知識がNAICSでの使用のため有意な値となりうるかに関するにネットワーク側のパラメータである。いずれかの特定のセルにおけるNAICSによるセル間の干渉軽減の有効性を強化するために、サービングeNB104が、取り扱っているUEにPDSCH電力オフセットの情報を報告するように構成されるのが望ましい。
【００１５】
図3は、さまざまな実施形態における動作環境300の一例を示しており、その動作環境300においては、NAICS受信機のための電力オフセットシグナリング技術の適用と関連して、複数の通信が、図1のUE102、サービングeNB104、及び近隣のeNB108間で交換される。動作環境300において、サービングeNB104は、そのサービングeNB104によってサービスを提供されるセルのPDSCH312を介してDLメッセージ310を送信するように動作可能であってもよい。同時に、近隣のeNB108は、その近隣のeNB108がサービスを提供するセルのPDSCHを介してDLメッセージ314を送信するように動作可能であってもよい。いくつかの実施形態において、サービングeNB104は、UE102のためのサービングセルを構成するセルにサービスを提供してもよく、近隣のeNB108は、サービングeNB104によってサービスを提供されるセルに隣接するか、又はそうでなければ、サービングeNB104によってサービスを提供されるセルと比較的ごく近接して配置されるセルにサービスを提供してもよい。以降では、“サービングセル（serving  cell）”の語は、サービングeNB104によってサービスを提供されるセルを指すのに使用され、“近隣セル（proximate  cell）”の語は、近隣のeNB108によってサービスを提供されるセルを指すのに使用される。
【００１６】
さまざまな実施形態において、DLメッセージ310は、UE102を対象としたデータを含んでいてもよい。いくつかの実施形態において、近隣のeNB108によるDLメッセージ314の送信は、DLメッセージ310と干渉する可能性があり、DLメッセージ310を首尾よく受信しかつDLメッセージ310の中に含まれるデータを抽出するUE102の能力を妨害する可能性がある。さまざまな実施形態において、DLメッセージ314がDLメッセージ310と干渉する度合いを低減するために、UE102は、NAICS技術を使用してもよい。さまざまな実施形態におけるいくつかの上記の技術によれば、UE102は、NAICSセル間干渉軽減アルゴリズムを実行するために、さまざまなネットワーク側パラメータの知識を利用してもよい。いくつかの実施形態において、上記のネットワーク側パラメータは複数のパラメータを含んでもよく、それらの複数のパラメータは、サービングeNB104及び/又は近隣のeNB108の構成及び/又は動作を記述していてもよい。これらの実施形態は、以上にかんがみ限定されることはない。
【００１７】
さまざまな実施形態において、UE102でのNAICSセル間干渉軽減に対するサポートを提供するために、サービングeNB104は、UE102にNAICSアシスタンス情報320を送信するように動作可能であってもよい。いくつかの実施形態において、NAICSアシスタンス情報320は、サービングeNB104及び/又は近隣のeNB108の構成及び/又は動作を記述する1つ又は複数のネットワーク側パラメータを含んでもよい。さまざまな実施形態において、サービングeNB104は、NAICSアシスタンス情報320をRRC接続制御メッセージ316に含めることによりNAICSアシスタンス情報320を送信するように動作可能であってもよく、そのRRC接続制御メッセージ316をUE102に送信してもよい。いくつかの実施形態において、RRC接続制御メッセージ316は、サービングeNB104が当該サービングeNB104とUE102との間のRRC接続を確立する、再確立する、又は再構成するために送信するメッセージを含んでもよい。さまざまな実施形態において、RRC接続制御メッセージ316は、（2014年3月の）3GPP  TS  36.331v12.1．0に従った、及び/又はその先行文献、変更版、又は後継文献のいずれかに従ったRRCConnectionSetupメッセージ、RRCConnectionReestablishmentメッセージ、又はRRCConnectionReconfigurationメッセージを含んでもよい。これらの実施形態は、以上にかんがみ限定されることはない。
【００１８】
いくつかの実施形態において、RRC接続制御メッセージ316に含まれる情報は、RRC構成情報318を含んでもよく、RRC構成情報318は、サービングeNB104とUE102との間のRRC接続の構成に関する様々なパラメータを指定してもよい。さまざまな実施形態において、RRC接続情報318は、RRC接続制御メッセージ316の中のRadioResourceConfigDedicatedフィールドに含まれてもよい。いくつかの実施形態において、NAICSアシスタンス情報320は、RRC構成情報318に含まれていてもよい。さまざまな実施形態において、例えば、NAICSアシスタンス情報320は、RRCConnectionSetupメッセージ、RRCConnectionReestablishmentメッセージ、又はRRCConnectionReconfigurationメッセージの中のRadioResourceConfigDedicatedフィールドの1つ又は複数のサブフィールドに含まれてもよい。いくつかの実施形態において、RRC接続制御メッセージ316の中にRRC構成情報318が存在すると、RRC接続制御メッセージ316の受信に応答してUE102に無線リソース構成手順を実行させてもよい。例えば、さまざまな実施形態において、UE102は、RRC構成情報318を含むRRC接続制御メッセージ316の受信に応答して、無線リソース構成手順を実行してもよく、この場合、RRC構成情報318は、RadioResourceConfigDedicatedフィールドを含んでいてもよい。これらの実施形態は、以上にかんがみ限定されることはない。
【００１９】
いくつかの実施形態において、UE102でのNAICSセル間干渉軽減の有効性を強化するために、サービングeNB104は、NAICSアシスタンス情報320に間に電力オフセット情報を含めるように動作してもよく、サービングeNB104は、NAICSアシスタンス情報320をUE102に送信してもよい。さまざまな実施形態において、例えば、NAICSアシスタンス情報320は、サービングセル106の電力オフセット情報322を含んでもよい。サービングセル106の電力オフセット情報322は、一般的には、それぞれの複数の相対的な電力を特徴づける情報を含んでもよく、サービングeNB104は、それらの相対的な電力でUE102にさまざまなタイプのREを送信し、すでに送信した、及び/又は送信してもよい。いくつかの実施形態において、サービングセル106の電力オフセット情報322は、1つ又は複数のPDSCH電力オフセットを含んでもよく、上記の1つ又は複数のPDSCH電力オフセットは、PDSCH312を介するサービングeNB104による複数の送信に適用可能である。これらの実施形態は、以上にかんがみ限定されることはない。
【００２０】
さまざまな実施形態において、NAICSアシスタンス情報320は、さらに又は代替的に、近隣セルの電力オフセット情報324を含んでもよい。近隣セルの電力オフセット情報324は、一般的には、それぞれの複数の相対的な電力を特徴づける情報を含んでもよく、近隣のeNB108は、それらの相対的な電力で近隣のセルの中のUEにさまざまなタイプのREを送信し、すでに送信した、及び/又は送信してもよい。いくつかの実施形態において、近隣セルの電力オフセット情報324は、1つ又は複数のPDSCH電力オフセットを含んでもよく、上記の1つ又は複数のPDSCH電力オフセットは、近隣セルのPDSCHを介する近隣のeNB108による送信に適用可能である。さまざまな実施形態において、サービングeNB104は、近隣のeNB108から近隣セルの電力オフセット情報324を受信するように動作可能であってもよく、また、その後、NAICSアシスタンス情報320に受信した近隣セルの電力オフセット情報324を含めてもよい。いくつかの実施形態において、近隣のeNB108は、セル間メッセージ326を送信することにより近隣セルの電力オフセット情報324をサービングeNB104に提供するように動作可能であってもよく、セル間メッセージ326は、近隣セルの電力オフセット情報324を含んでいてもよい。さまざまな実施形態において、近隣のeNB108は、サービングeNB104と近隣のeNB108との間のX2インターフェイスを介してサービングeNB104にセル間メッセージ326を送信するように動作可能であってもよい。これらの実施形態は、以上にかんがみ限定されることはない。
【００２１】
いくつかの実施形態において、サービングeNB104は、PDSCH312を介してUE102に、場合により、RRC構成情報318及び/又はRRC接続制御メッセージ316の中にカプセル化されているNAICSアシスタンス情報320を送信するように動作可能であってもよい。さまざまな実施形態において、NAICSアシスタンス情報320の受信に続いて、UE102は、後に続くNAICS動作での使用のためにNAICSアシスタンス情報320を格納するように動作可能であってもよい。いくつかの実施形態において、サービングeNB104は、UE102に現在のNAICSアシスタンス情報320を周期的に送信してもよい。さまざまな実施形態において、UE102は、以前に格納したNAICSアシスタンス情報320を新たに受信するNAICSアシスタンス情報320で周期的に更新又は置き換えてもよい。これらの実施形態は、以上にかんがみ限定されることはない。
【００２２】
上記で言及したように、いくつかの実施形態において、近隣のeNB108は、サービングeNB104からUE102へのDLメッセージ310の送信と同時にDLメッセージ314を送信するように動作可能であってもよい。さまざまな実施形態において、DLメッセージ314によるDLメッセージ310とのセル間干渉を軽減するために、UE102は、NAICSアシスタンス情報320を使用して、1つ又は複数のNAICS干渉軽減技術及び/又はアルゴリズムを実行するように動作可能であってもよい。いくつかの実施形態において、UE102は、サービングセル106の電力オフセット情報322及び/又は近隣セルの電力オフセット情報324のうちのいくつか又はすべてを使用して、これらのNAICS干渉軽減技術及び/又はアルゴリズムの1つ又は複数を実装してもよい。これらの実施形態は、以上にかんがみ限定されることはない。
【００２３】
さまざまな実施形態において、サービングeNB104がPDSCH312を介して送信する際に適用するPDSCH電力オフセットは、使用されている変調スキームに依存してもよく、それによって、一方の変調スキームと関連するCRS/PDSCH送信電力比率は、他方の変調スキームと関連するCRS/PDSCH送信電力比率と異なってもよい。いくつかの実施形態において、UE102は、サービングeNB104がいくつかの変調スキームと関連して使用するPDSCH電力オフセットに関する知識をすでに得ていてもよいが、サービングeNB104が他の変調スキームと関連して使用するPDSCH電力オフセットに関する情報を得ていてはならない。さまざまな実施形態において、例えば、UE102は、サービングeNB104が16値直交振幅変調（16QAM）、64QAM、及び/又は256QAM等の直交振幅変調（QAM）と関連して使用するPDSCH電力オフセットPAに関する知識を有していてもよいが、サービングeNB104が直角位相シフトキーイング（QPSK）変調と関連して使用するCRS/PDSCH送信電力比率に関する知識を有していてはならない。これらの実施形態は、以上にかんがみ限定されることはない。
【００２４】
いくつかの実施形態において、UE102が関与していないであろう1つ又は複数の変調スキーム特有のCRS/PDSCH送信電力比率をUE102に知らせるために、サービングeNB104は、サービングセル106の電力オフセット情報322の中に1つ又は複数のPDSCH電力オフセット値を含めてもよい。例えば、さまざまな実施形態において、サービングeNB104は、サービングセル106の電力オフセット情報322の中に1つのPDSCH電力オフセットPA2を含めてもよく、その1つのPDSCH電力オフセットPA2は、QPSK変調についての専用の電力オフセットを含んでいてもよい。いくつかの実施形態において、そのPDSCH電力オフセットPA2は、QPSK変調のいくつかのアプリケーションに適用してもよいが、QPSK変調の他のアプリケーションに適用してはいけない。例えば、さまざまな実施形態において、PDSCH電力オフセットPA2は、QPSK変調されたセル無線ネットワーク一時識別子（C-RNTI）ベースのPDSCH送信にのみ適用可能であってもよい。他の例では、いくつかの実施形態において、PDSCH電力オフセットPA2は、QPSK変調されたC-RNTIベースのPDSCH送信及びQPSK変調された半永久スケジューリング（SPS）C-RNTIベースのPDSCH送信に対してのみ適用可能であってもよい。さまざまな実施形態において、サービングeNB104は、複数の許容される値の定義されたセットからPA2の1つの値を選択するように構成されてもよい。上記のいくつかの実施形態において、サービングeNB104は、サービングeNB104がPAを選択する定義されたセットと同一の複数の許容される値の定義されたセットからPA2の上記の値を選択するように構成されてもよい。1つの例示的な実施形態において、サービングeNB104は、複数の許容される値｛-6dB,-4.77dB,-3dB,-1.77dB,0dB,1dB,2dB,3dB｝の同一の定義されたセットからPAの複数の値及びPA2の複数の値を選択するように構成されてもよい。さまざまな他の実施形態において、複数の許容される値の異なるセットがPA及びPA2について定義されてもよく、サービングeNB104は、複数の許容される値のそれぞれの定義されたセットからPAの値及びPA2の値を選択するように構成されてもよい。これらの実施形態は、以上にかんがみ限定されることはない。
【００２５】
いくつかの実施形態においては、QPSK変調について専用の電力オフセットPA2を実装するよりもむしろ、サービングeNB104は、PDSCH312を介するQPSK変調された送信のすべてのタイプ又はいくつかのタイプにQAMと関連する電力オフセットPAを適用するように構成されてもよいということに留意すべきである。例えば、さまざまな実施形態において、サービングeNB104は、QPSK変調されたC-RNTIベースのPDSCH送信及び/又はQPSK変調されたSPS  C-RNTIベースのPDSCH送信に電力オフセットPAを適用し、他のQPSK変調されたPDSCH送信には電力オフセットPAを適用しないように構成されてもよい。これらの実施形態は、以上にかんがみ限定されることはない。
【００２６】
いくつかの実施形態において、サービングeNB104は、1つ又は複数のサブフレーム特有のPDSCH電力オフセットパラメータに従って動作するように構成されてもよい。例えば、さまざまな実施形態において、ほぼブランクのサブフレーム（ABS）に適用するように1つのPDSCH電力オフセットPA(ABS)を定義してもよい。いくつかの実施形態において、サービングeNB104は、ほぼブランクのサブフレーム（ABS）の間のPDSCH送信への適用のためにPA(ABS)の値を選択し、他のサブフレームの間のPDSCH送信への適用のためにPAの値を選択するように構成されてもよい。さまざまな実施形態において、サービングeNB104は、サービングセル106の電力オフセット情報322に選択されたPA(ABS)の値を含めるように構成されてもよい。いくつかの実施形態において、PA(ABS)のための複数の許容される値のセットは、PAのための複数の許容される値のセットとは異なるように定義されてもよく、サービングeNB104は、複数の許容される値のそれぞれのセットからPAの値及びPA2の値を選択するように構成されてもよい。さまざまな他の実施形態において、サービングeNB104は、サービングeNB104がPAの値を選択したのと同一の複数の許容される値のセットからPA(ABS)の値を選択するように構成されてもよい。
【００２７】
いくつかの実施形態において、1つ又は複数のサブフレーム特有のPDSCH電力オフセットパラメータの使用は、1つ又は複数の変調スキーム特有のPDSCH電力オフセットパラメータの使用と組み合わせることができる。例えば、さまざまな実施形態において、サービングeNB104は、16QAM、64QAM、及び256QAM変調されたPDSCH送信に適用するPDSCH電力オフセットPAに従うように構成され、ほぼブランクのサブフレーム（ABS）の間のQPSK変調されたPDSCH送信に適用するPDSCH電力オフセットPA(ABS)に従うように構成され、そして、ABSではないサブフレームの間のQPSK変調されたPDSCH送信に適用するPDSCH電力オフセットPA2に従うように構成されてもよい。同様に、いくつかの実施形態において、サブフレーム特有の複数の許容される値の1つ又は複数のセットの使用は、変調スキーム特有の複数の許容される値の1つ又は複数のセットの使用と組み合わせることができる。さまざまな実施形態において、複数の異なるPDSCH電力オフセットパラメータの数と複数の異なる許容される値の数との間に1対1の関係が存在しなくてもよいということに留意すべきである。例えば、サービングeNB104がPDSCH電力オフセットパラメータPA、PA2、及びPA(ABS)に従うように構成される上記のシナリオにおいて、サービングeNB104は、サービングeNB104がPA2の値を選択したのと同一の複数の許容される値のセットからPA（ABS）の値を選択するように構成されてもよいからである。これらの実施形態は、以上にかんがみ限定されることはない。
【００２８】
サービングeNB104がUE102に送信する際に適用する1つ又は複数のPDSCH電力オフセット値は、サービングeNB104がそのサービングセル内のいずれかの他の特定のUEに送信する際に適用する1つ又は複数のPDSCH電力オフセット値と必ずしも同一である必要はないということが明らかとなろう。例えば、サービングeNB104は、UE102に第1のPAの値及び/又は第1のPA2の値を報告して、第1のPAの値及び/又は第1のPA2の値に従ってPDSCH312を介してUE102にデータを送信してもよく、第2のUEに第2のPAの値及び/又は第2のPA2の値を報告して、第2のPAの値及び/又は第2のPA2の値に従ってPDSCH312を介してUEにデータを送信してもよい。換言すれば、いくつかの実施形態において、サービングeNB104が選択しそして適用する1つ又は複数のPDSCH電力オフセット値はUE特有のものであってもよい。
【００２９】
同様に、さまざまな実施形態において、近隣のeNB108は、UEによって異なるUE特有のPDSCH電力オフセット値を選択して適用するように構成されてもよい。このようにして、いずれかの所与の時間期間の間、近隣のeNB108は、複数の電力オフセット値に従ってPDSCH送信を実行してもよい。近隣のeNB108は、複数のPDSCH送信のうちのいずれがサービングセル内の所与の時間点における所与のUEでの所与のメッセージとの干渉につながるか或いは所与のメッセージとの干渉とはならないかを知るすべがない。したがって、近隣のeNB108は、UE102がいずれかの特定の干渉を与える送信に関して想定するべき1つ又は複数の“正しい”電力オフセット値を指定することができない可能性がある。しかしながら、所与の時間期間に関して、近隣のeNB108は、それにもかかわらず、近隣セルの電力オフセット情報324を送ることにより、UE102におけるNAICS干渉軽減のためのアシスト、及び/又はそのサービングセル内の他のUEでのNAICS干渉軽減のためのアシスト、及び/又は他の隣接セルにおける他のUEでのNAICS干渉軽減のためのアシストを提供することが可能であり、近隣のeNB108が送る近隣セルの電力オフセット情報324は、近隣のeNB108がその時間期間の間に採用し、或いは採用した、又は採用しようとしている複数の特定のPDSCH電力オフセット値の1つ又は複数のセットを特定する。
【００３０】
いくつかの実施形態において、近隣のeNB108は、近隣セルの電力オフセット情報324を送信するように構成されてもよく、その近隣セルの電力オフセット情報324は、複数の許容されるPDSCH電力オフセット値の1つの定義されたセットから、いずれかの所与の時間期間の間に近隣のeNB108が既に使用した、或いは使用する、又は使用しようとしている1つ又は複数のPDSCH電力オフセット値のサブセットを特定するように構成される。例えば、さまざまな実施形態において、電力オフセットPAの許容される値は、セット｛-6dB,-4.77dB,-3dB,-1.77dB,0dB,1dB,2dB,3dB｝を含んでもよい。そのような実施形態においては、近隣のeNB108が-3dB、0dB、及び3dBのPAの値を使用することを要求するにすぎない場合には、近隣のeNB108は、サブセット｛-3dB,0dB,3dB｝を特定する近隣セルの電力オフセット情報324を送信してもよい。これらの実施形態は、以上にかんがみ限定されることはない。
【００３１】
いくつかの実施形態において、近隣のeNB108は、近隣セルの電力オフセット情報324を送信するように構成されてもよく、近隣セルの電力オフセット情報324は、複数のPDSCH電力オフセット値の複数のサブセットを特定し、各サブセットは、1つ又は複数のそれぞれの変調スキームに対応してもよい。例えば、異なるPDSCH電力オフセットパラメータPA及びPA2が実装されるさまざまな実施形態において、近隣セルの電力オフセット情報324は、近隣のeNB108がパラメータPAについて使用しようとする1つ又は複数のPDSCH電力オフセット値を含む第1のサブセット及び近隣のeNB108がパラメータPA2について使用しようとする1つ又は複数のPDSCH電力オフセット値を含む第2のサブセットを含んでもよい。いくつかの実施形態において、複数の変調スキームに適用される1つのPDSCH電力オフセットパラメータについて、近隣セルの電力オフセット情報324は複数のサブセットを含んでもよく、複数のサブセットの各々は、1つの特定のスキーム又は複数のスキームのサブセットに対応していてもよい。例えば、PDSCH電力オフセットパラメータPAが16値QAM変調された送信及び64値QAM変調された送信の双方に適用可能なさまざまな実施形態において、近隣セルの電力オフセット情報324は、近隣のeNB108が16値QAM変調されたPDSCH送信のために使用しようとするパラメータPAの1つ又は複数の値を含む第1のサブセット及び近隣のeNB108が64値QAM変調されたPDSCH送信のために使用しようとするパラメータPAの1つ又は複数の値を含む第2のサブセットを含んでもよい。近隣セルの電力オフセット情報324が同一のPDSCH電力オフセットパラメータと関連する複数のサブセットを含むいくつかの実施形態において、近隣セルの電力オフセット情報324は、1つ又は複数の追加のPDSCH電力オフセットパラメータと関連する1つ又は複数の追加のサブセットを含んでもよい。例えば、さまざまな実施形態において、近隣セルの電力オフセット情報324は、近隣のeNB108が16値QAM変調されたPDSCH送信のために使用しようとするパラメータPAの1つ又は複数の値を含む第1のサブセット、近隣のeNB108が64値QAM変調されたPDSCH送信のために使用しようとするパラメータPAの1つ又は複数の値を含む第2のサブセット、及び近隣のeNB108がQPSK変調されたPDSCH送信のために使用しようとするパラメータPA2の1つ又は複数の値を含む第3のサブセットを含んでもよい。これらの実施形態は、以上にかんがみ限定されることはない。
【００３２】
複数の異なる電力オフセットパラメータPA及びPA２が実装されるいくつかの実施形態において、許容される複数の値の同一の定義されたセットが双方に適用されてもよい。このようにして、近隣セルの電力オフセット情報324がそれぞれパラメータPAの値を含む第1のサブセット及びパラメータPA2の値を含む第2のサブセットを含むさまざまな実施形態において、これらの第1のサブセット及び第2のサブセットは、複数の許容される値の同一のセットの複数のサブセットを含んでいてもよい。複数の異なる電力オフセットパラメータPA及びPA2が実装されるいくつかの他の実施形態において、許容される複数の値のそれぞれの複数の異なるセットがパラメータPA及びPA2のために定義されてもよい。したがって、近隣セルの電力オフセット情報324がパラメータPAの値を含む第1のサブセット及びパラメータPA2の値を含む第2のサブセットを含むさまざまな他の実施形態において、これらの第1のサブセット及び第2のサブセットは、複数の許容される値のそれぞれの異なる複数のセットの複数のサブセットを含んでもよい。これらの実施形態は、以上にかんがみ限定されることはない。
【００３３】
上記の複数の実施形態に関する動作は、以下の図面及び添付の例を参照してさらに説明される。図のいくつかは、1つの論理フローを含んでもよい。本明細書において提示されるそのような図面はある特定の1つの論理フローを含んでもよいが、その論理フローは、本明細書において説明される全般的な機能がどのように実装されるかに関する例を提供するにすぎないということを理解すべきである。さらに、上記の論理フローは、特に記載される場合を除き、必ずしも提示された順序で実行されることは必要ではない。さらに、与えられる論理フローは、ハードウェア構成要素、プロセッサによって実行されるソフトウェア構成要素、又はそれらのいずれかの組み合わせによって実装されてもよい。これらの実施形態は、以上にかんがみ限定されることはない。
【００３４】
図4は、いくつかの実施形態において図1及び/又は図3のサービングeNB104によって実行される動作を表す論理フロー400の1つの実施形態を図示している。図4に示されているように、PDSCHを介するQPSK変調されたC-RNTIベースの送信のための1つの電力オフセット値がステップ402で選択されてもよい。例えば、図3のサービングeNB104は、PDSCH312を介するUE102へのQPSK変調されたC-RNTIベースの送信のための1つの電力オフセット値を選択するように動作可能であってもよい。さまざまな実施形態において、QPSK変調されたC-RNTIベースの送信のための上記の1つの電力オフセット値は、1つの電力オフセットパラメータについての1つの値を含んでもよく、電力オフセットパラメータは、QPSK変調されたC-RNTIベースの送信についてリソースエレメントごとのPDSCHエネルギー（PDSCH  EPRE）とリソースエレメントごとのCRSエネルギー（CRS  EPRE）との間の比率を決定してもよい。いくつかの実施形態において、QPSK変調されたC-RNTIベースの送信のための電力オフセット値は、複数の値の定義されたセットから選択されてもよい。さまざまな実施形態において、複数の値の定義されたセットは、セット｛-6dB,-4.77dB,-3dB,-1.77dB,0dB,1dB,2dB,3dB｝を含んでもよい。これらの実施形態は、以上にかんがみ限定されることはない。
【００３５】
いくつかの実施形態において、PDSCHを介するQAM変調された送信のための1つの電力オフセット値が選択されてもよい。例えば、図3のサービングeNB104は、PDSCH312を介するUE102へのQAM変調された送信のための1つの電力オフセット値を選択するように動作可能であってもよい。さまざまな実施形態において、QAM変調された送信のための上記の1つの電力オフセット値は、1つの電力オフセットパラメータについての1つの値を含んでもよく、電力オフセットパラメータは、QAM変調された送信についてPDSCH  EPREとCRS  EPREとの間の比率を決定してもよい。いくつかの実施形態において、QAM変調された送信のための電力オフセット値及びQPSK変調されたC-RNTIベースの送信のための電力オフセット値は、複数の値の共通のセットから選択されてもよい。これらの実施形態は、以上にかんがみ限定されることはない。
【００３６】
ステップ404において、RRC接続制御メッセージが送信されてもよく、RRC接続制御メッセージはNAICSアシスタンス情報を含んでいてもよく、NAICSアシスタンス情報は、UEへのQPSK変調されたC-RNTIベースの送信のための選択された電力オフセット値を特定してもよい。例えば、図3のサービングeNB104は、NAICSアシスタンス情報230を含むRRC接続制御メッセージ316を送信するように動作可能であってもよく、NAICSアシスタンス情報320は、サービングeNB104がUE102へのQPSK変調されたC-RNTIベースの送信のために選択した電力オフセット値を特定してもよい。さまざまな実施形態において、RRC接続制御メッセージは、RRCConnectionSetupメッセージ、RRCConnectionReestablishmentメッセージ、又はRRCConnectionReconfigurationメッセージを含んでもよい。いくつかの実施形態において、NAICSアシスタンス情報は、RRC接続制御メッセージのRadioResourceConfigDedicatedフィールドに中に含まれていてもよい。さまざまな実施形態において、NAICSアシスタンス情報は、RadioResourceConfigDedicatedフィールドのサブフィールドの中に含まれていてもよい。これらの実施形態は、以上にかんがみ限定されることはない。
【００３７】
電力オフセット値がUEへのQAM変調された送信のために選択されるいくつかの実施形態において、RRC接続制御メッセージは、UEへのQAM変調された通信のために選択された電力オフセット値を特定する情報を含んでもよい。例えば、図3のRRC接続制御メッセージ316は、サービングeNB104がPDSCH312を介するUE102へのQAM変調された送信のために選択した電力オフセット値を特定する情報のみならず、サービングeNB104がPDSCH312を介するUE102へのQPSK変調されたC-RNTIベースの送信のために選択した電力オフセット値を特定するNAICSアシスタンス情報320を含んでもよい。さまざまな実施形態において、QAM変調された送信のための選択された電力オフセット値を特定する情報は、RRC接続制御メッセージのRadioResourceConfigDedicatedフィールドの中に含まれてもよい。これらの実施形態は、以上にかんがみ限定されることはない。
【００３８】
ステップ406で、QPSK変調されたC-RNTIベースの送信は、そのQPSK変調されたC-RNTIベースの送信のために選択されている電力オフセット値に従って実行されてもよい。例えば、図3のサービングeNB104は、サービングeNB104が選択してRRC接続制御メッセージ316によりUE102に報告した電力オフセット値に従って、PDSCH312を介してUE102に、QPSK変調されたC-RNTIベースの送信を実行するように動作可能であってもよい。1つの電力オフセット値がUEへのQAM変調された送信のために選択されるいくつかの実施形態においては、そのQAM変調された送信は、その選択された電力オフセットに従って実行されてもよい。例えば、図3のサービングeNB104は、サービングeNB104が選択してRRC接続制御メッセージ316によりUE102に報告した電力オフセット値に従って、PDSCH312を介してUE102に、QAM変調された送信を実行するように動作可能であってもよい。これらの実施形態は、以上にかんがみ限定されることはない。
【００３９】
図5は、さまざまな実施形態において、図3のUE102によって実行される動作を表す論理フロー500の1つの実施形態を図示している。図5に示されているように、RRC接続制御メッセージ316がステップ502で受信されてもよく、RRC接続制御メッセージ316はNAICSアシスタンス情報を含んでもよく、NAICSアシスタンス情報は、UEと関連するサービングセルのPDSCHを介するUEへのQPSK変調されたC-RNTIベースの送信のための1つの電力オフセット値を特定してもよい。例えば、図3のUE102は、NAICSアシスタンス情報320を含むRRC接続制御メッセージ316を受信するように動作可能であってもよく、NAICSアシスタンス情報320は、PDSCH312を介するサービングeNB104からUE102へのQPSK変調されたC-RNTIベースの送信のための1つの電力オフセット値を特定してもよい。いくつかの実施形態において、RRC接続制御メッセージ316は、RRCConnectionSetupメッセージ、RRCConnectionReestablishmentメッセージ、又はRRCConnectionReconfigurationメッセージを含んでもよい。さまざまな実施形態において、RRC接続制御メッセージ316は、RadioResourceDedicatedフィールドを含んでもよい。いくつかの実施形態において、NAICSアシスタンス情報320は、RadioResourceConfigDedicatedフィールドの中に含まれてもよい。さまざまな実施形態において、NAICSアシスタンス情報320は、RadioResourceConfigDedicatedフィールドのサブフィールドの中に含まれてもよい。いくつかの実施形態において、電力オフセット値は、複数の値の定義されたセットの中に含まれていてもよい。さまざまな実施形態において、複数の値の定義されたセットは、セット｛-6dB,-4.77dB,-3dB,-1.77dB,0dB,1dB,2dB,3dB｝を含んでもよい。いくつかの実施形態において、RRC接続制御メッセージ316は、サービングセルのPDSCHを介するUEへの1つ又は複数の直交振幅変調（QAM）された送信のための1つの電力オフセット値を特定する情報を含んでもよい。これらの実施形態は、以上にかんがみ限定されることはない。
【００４０】
ステップ504において、RRC接続制御メッセージ316の受信に応答して、無線リソース構成手順が実行されてもよい。さまざまな実施形態において、無線リソース構成手順は、RRC接続制御メッセージの中のRadioResourceConfigDedicatedフィールドの存在に基づいて実行されてもよい。例えば、図3のUE102は、RadioResourceConfigDedicatedフィールドを含むRRC接続制御メッセージ316の受信に応答して無線リソース構成手順を実行するように動作可能であってもよい。ステップ506において、1つ又は複数のNAICSセル間干渉軽減アルゴリズムが、UEへのQPSK変調されたC-RNTIベースの送信のための電力オフセット値に基づいて、サービングセルのPDSCHを介して受信される1つ又は複数の送信に適用されてもよい。例えば、図3のUE102は、PDSCH312を介するUE102へのQPSK変調されたC-RNTIベースの送信のための1つの受信した電力オフセット値に基づいて、DLメッセージ310に1つ又は複数のNAICSセル間干渉軽減アルゴリズムを適用するように動作可能であってもよい。これらの実施形態は、以上にかんがみ限定されることはない。
【００４１】
図6は、いくつかの実施形態において図3の近隣のeNB108によって実行される動作を表す論理フロー600の1つの実施形態を図示している。図6に示されているように、PDSCHを介するDL送信に適用される1つ又は複数の電力オフセット値が、ステップ602で特定されてもよい。例えば、図3の近隣のeNB108は、その近隣のeNB108によってサービスを提供されるセルのPDSCHを介するDL送信に適用するための1つ又は複数の電力オフセット値を特定するように動作可能であってもよい。ステップ604において、1つ又は複数の電力オフセット値を報告するために、メッセージがX2インターフェイスを介して送信されてもよい。例えば、図3の近隣のeNB108は、X2インターフェイス328を介してサービングeNB104に近隣セルの電力オフセット情報324を含むセル間メッセージ326を送信するように動作可能であってもよく、近隣のeNB108は、近隣のeNB108によってサービスを提供されるセルのPDSCHを介するDL送信のために近隣のeNB108が選択した1つ又は複数の電力オフセット値を報告するように動作可能であってもよい。ステップ606において、1つ又は複数のDL送信が、1つ又は複数の電力オフセット値に従ってPDSCHを介して実行されてもよい。例えば、図3の近隣のeNB108は、近隣のeNB108が選択してサービングeNB104に報告した1つ又は複数の電力オフセット値に従って1つ又は複数のDL  PDSCH送信を実行するように動作可能であってもよい。これらの実施形態は、以上にかんがみ限定されることはない。
【００４２】
図7Aは、記憶媒体700の1つの実施形態を図示している。記憶媒体700は、光記憶媒体、磁気記憶媒体又は半導体記憶媒体等のいずれかの非一時的なコンピュータ読み取り可能な記憶媒体又は機械読み取り可能な記憶媒体を含んでもよい。さまざまな実施形態において、記憶媒体700は製品を含んでもよい。いくつかの実施形態において、記憶媒体700は、図4の論理フロー400及び/又は図6の論理フロー600を実行するコンピュータにより実行可能な命令等の複数のコンピュータ実行可能な命令を格納していてもよい。コンピュータ読み取り可能な記憶媒体又は機械読み取り可能な記憶媒体の例は、揮発性メモリ又は不揮発性メモリ、取り外し可能なメモリ又は取り外し可能でないメモリ、消去可能なメモリ又は消去可能でないメモリ、書き込み可能なメモリ又は再書き込み可能なメモリ等を含む、電子データを格納することができるいずれかの有体の媒体を含んでもよい。コンピュータにより実行可能な命令の例は、ソースコード、コンパイルされたコード、解釈されたコード、実行可能なコード、スタティックコード、ダイナミックコード、オブジェクト指向のコード、視覚的コード、及びその他同様のもの等を含むいずれかの適切なタイプのコードを含んでもよい。これらの実施形態は、以上にかんがみ限定されることはない。
【００４３】
図7Bは、記憶媒体750の1つの実施形態を図示している。記憶媒体750は、光記憶媒体、磁気記憶媒体、又は半導体記憶媒体等のいずれかの非一時的コンピュータ読み取り可能な記憶媒体又は機械読み取り可能な記憶媒体を含んでもよい。さまざまな実施形態において、記憶媒体750は、製品を含んでもよい。いくつかの実施形態において、記憶媒体750は、図5の論理フロー500を実行するためのコンピュータにより実行可能な命令等のコンピュータにより実行可能な命令を格納してもよい。コンピュータ読み取り可能な記憶媒体、機械読み取り可能な記憶媒体、及びコンピュータにより実行可能な命令の例は、限定する意図ではなく、図7Aの記憶媒体700に関して上記で言及したそれぞれの例のいずれかを含んでもよい。
【００４４】
図8は、デバイス800の1つの実施形態を図示しており、デバイス800は、図1及び図3のUE102、サービングeNB104、及び近隣のeNB108、図4の論理フロー400、図5の論理フロー500、図6の論理フロー600、図7Aの記憶媒体700、及び図7Bの記憶媒体750のうちの1つ又は複数を実装することができる。さまざまな実施形態において、デバイス800は、論理回路828を含んでもよい。論理回路828は、複数の物理的な回路を含んでもよく、それらの複数の物理的な回路は、図1及び図3のUE102、サービングeNB104、及び近隣のeNB108、図4の論理フロー400、図5の論理フロー500、及び図6の論理フロー600のうちの1つ又は複数について説明された動作を実行することができる。図8に示されているように、デバイス800は、無線インターフェイス810、ベースバンド回路820、及びコンピューティングプラットフォーム830を含んでもよいが、実施形態はこのような構成には限定されない。
【００４５】
デバイス800は、図1及び図3のUE102、サービングeNB104、及び近隣のeNB108、図4の論理フロー400、図5の論理フロー500、図6の論理フロー600、図7Aの記憶媒体700、図7Bの記憶媒体750、及び論理回路828のうちの1つ又は複数のための構造及び/又は動作のうちのすべて又はいくつかを、全体を単一のデバイスの中にといった方法で単一のコンピューティングエンティティの中に実装してもよい。代替的に、デバイス800は、図1及び図3のUE102、サービングeNB104、及び近隣のeNB108、図4の論理フロー400、図5の論理フロー500、図6の論理フロー600、図7Aの記憶媒体700、図7Bの記憶媒体750、及び論理回路828のうちの1つ又は複数のための構造及び/又は動作を実装することができるが、これらの構造及び/又は動作の複数の部分を、クライアント―サーバアーキテクチャ、3層アーキテクチャ、N層アーキテクチャ、密結合アーキテクチャ又はクラスタアーキテクチャ、ピアツゥピアアーキテクチャ、マスタ―スレーブアーキテクチャ、共有データベースアーキテクチャ、及び他のタイプの分散システム等の分散システムアーキテクチャを使用して複数のコンピューティングエンティティにわたって分散させてもよい。これらの実施形態は、以上にかんがみ限定されることはない。
【００４６】
いくつかの実施形態において、無線インターフェイス810は、（相補符号キーイング（CCK）シンボル、直交周波数分割多重（OFDM）シンボル、及び/又は単一キャリア周波数分割多元接続（SC-FDMA）シンボル等を含む）単一キャリア変調信号又はマルチキャリア変調信号を送信し及び/又は受信するように適合される1つの構成要素又は複数の構成要素の組み合わせを含んでもよいが、実施形態は、いずれかの特定の無線インターフェイス又は変調スキームには限定されない。無線インターフェイス810は、例えば、受信機812、周波数合成機814、及び/又は送信機816を含んでもよい。無線インターフェイス810は、複数のバイアス制御、水晶発振器及び/又は1つ又は複数のアンテナ818-fを含んでもよい。他の実施形態においては、無線インターフェイス810は、要求に従って、外部電圧制御発振器（VCO）、表面音響波フィルタ、中間周波数（IF）フィルタ及び/又はRFフィルタを使用してもよい。RFインターフェイスのさまざまな可能な設計により、それらの包括的な説明は省略される。
【００４７】
ベースバンド回路820は、無線インターフェイス810と通信して受信信号及び/又は送信信号を処理し、例えば、受信信号をダウンコンバートするアナログ―ディジタルコンバータ822及び送信のために信号をアップコンバートするディジタル―アナログコンバータ824を含んでもよい。さらに、ベースバンド回路820は、それぞれの受信信号及び/又は送信信号の物理層（PHY）リンク層処理のためのベースバンド又は物理層（PHY）処理回路826を含んでもよい。ベースバンド回路820は、例えば、メディアアクセス制御（MAC）層/データリンク層処理のためのメディアアクセス制御（MAC）処理回路827を含んでもよい。ベースバンド回路820は、例えば、1つ又は複数のインターフェイス834を介してMAC処理回路827及び/又はコンピューティングプラットフォーム830と通信するためのメモリコントローラ832を含んでもよい。
【００４８】
いくつかの実施形態において、PHY処理回路826は、バッファメモリ等の追加の回路と関連して、通信フレームを組み立て及び/又は分解するフレーム組立及び/又は分解モジュールを含んでもよい。さらに又は代替的に、MAC処理回路827は、PHY処理回路とは無関係のこれらの機能の幾分かのための処理を共有し、又はこれらの処理を実行してもよい。いくつかの実施形態において、MAC処理及びPHY処理は、単一の回路に統合されてもよい。
【００４９】
コンピューティングプラットフォーム830は、デバイス800に計算機能を提供してもよい。図示されているように、コンピューティングプラットフォーム830は、処理構成要素840を含んでもよい。ベースバンド回路820に加えて又はの代わりに、デバイス800は、処理構成要素840を使用して、図1及び図3のUE102、サービングeNB104、及び近隣のeNB108、図4の論理フロー400、図5の論理フロー500、図6の論理フロー600、図7Aの記憶媒体700、図7Bの記憶媒体750、及び論理回路828のうちの1つ又は複数のための処理動作又は処理ロジックを実行してもよい。処理構成要素840（及び/又はPHY処理回路826及び/又はMAC処理回路827）は、さまざまなハードウェア構成要素、ソフトウェア構成要素、又はそれらの組み合わせを含んでもよい。ハードウェア構成要素の例は、複数のデバイス、ロジックデバイス、複数の構成要素、プロセッサ、マイクロプロセッサ、回路、プロセッサ回路、（トランジスタ、抵抗器、コンデンサ、インダクタ等の）回路素子、集積回路、特定用途向け集積回路（ASIC）、プログラマブルロジックデバイス（PLD）、ディジタルシグナルプロセッサ（DSP）、フィールドプログラマブルゲートアレイ（FPGA）、メモリユニット、ロジックゲート、レジスタ、半導体デバイス、チップ、マイクロチップ、チップセット等を含んでもよい。ソフトウェア構成要素の例は、ソフトウェアコンポーネント、プログラム、アプリケーション、コンピュータプログラム、アプリケーションプログラム、システムプログラム、ソフトウェア開発プログラム、マシンプログラム、オペレーティングシステムソフトウェア、ミドルウェア、ファームウェア、ソフトウェアモジュール、ルーティン、サブルーティン、機能、方法、手順、ソフトウェアインターフェイス、アプリケーションプログラムインターフェイス（API）、命令セット、コンピューティングコード、コンピュータコード、コードセグメント、コンピュータコードセグメント、ワード、値、シンボル、又はこれらのいずれかの組み合わせを含んでもよい。実施形態がハードウェア構成要素及び/又はソフトウェア構成要素を使用して実装されるべきか否かに関する決定は、与えられた実装が要求するところに従って、所望の計算速度、電力レベル、熱耐性、処理循環予算、入力データレート、出力データレート、金銭的資源、データバススピード、及び他の設計的な制約又は他の性能的な制約等のさまざまな要因に従って変化しうる。
【００５０】
コンピューティングプラットフォーム830は、他のプラットフォーム構成要素850をさらに含んでもよい。他のプラットフォーム構成要素850は、1つ又は複数のプロセッサ、マルチコアプロセッサ、コプロセッサ、メモリユニット、チップセット、コントローラ、周辺機器、インターフェイス、発信器、タイミングデバイス、ビデオカード、オーディオカード、マルチメディア入力/出力（I/O）構成要素（例えば、ディジタルディスプレイ）、電源等の共通の計算要素を含んでもよい。メモリユニットの例は、リードオンリーメモリ（ROM）、ランダムアクセスメモリ（RAM）、ダイナミックRAM（DRAM）、ダブルデータレートDRAM（DDR-DRAM）、同期DRAM（SDRAM）、スタティックRAM（SRAM）、プログラマブルROM（PROM）、消去可能プログラマブルROM（EPROM）、電気的に消去可能なプログラマブルROM（EEPROM）、フラッシュメモリ、強誘電体ポリマメモリ等のポリマメモリ、オボニックメモリ、位相変化又は強誘電性メモリ、Silicon/Oxide/Nitride/Oxide/Silicon構造（SONOS）メモリ、磁気カード又は光カード、独立ディスクの冗長アレイ（RAID）ドライブ等の複数のデバイスのアレイ、（USBメモリ等の）ソリッドステイトメモリデバイス、ソリッドステイトドライブ（SSD）、及び情報を格納するのに適する他のタイプの記憶媒体等の1つ又は複数のより高速のメモリユニットの形態でのさまざまなタイプのコンピュータ読み取り可能な記憶媒体及び機械読み取り可能な記憶媒体を含んでもよい。
【００５１】
デバイス800は、例えば、ウルトラモバイルデバイス、モバイルデバイス、固定デバイス、マシントゥマシン（M2M）デバイス、パーソナルディジタルアシスタント（PDA）デバイス、モバイルコンピューティングデバイス、スマートフォン、電話、ディジタルフォン、セルラフォン、ユーザ機器（UE）、eブックリーダ、ハンドセット、一方向性ページャ、双方向性ページャ、パーソナルコンピュータ（PC）、デスクトップコンピュータ、ラップトップコンピュータ、ノートブックコンピュータ、ネットブックコンピュータ、ハンドヘルドコンピュータ、タブレットコンピュータ、サーバ、サーバアレイ又はサーバファーム、Webサーバ、ネットワークサーバ、インターネットサーバ、ワークステーション、ミニコンピュータ、メインフレームコンピュータ、スーパーコンピュータ、ネットワークアプライアンス、Webアプライアンス、分散コンピューティングシステム、マルチプロセッサシステム、プロセッサベースのシステム、消費者家電機器、プログラマブル消費者電子機器、ゲームデバイス、ディスプレイ、テレビジョン、ディジタルテレビジョン、セットトップボックス、無線アクセスポイント、基地局、NodeB、加入者局、移動加入者センタ、無線ネットワークコントローラ、ルータ、ハブ、ゲートウェイ、ブリッジ、スイッチ、マシン、又はこれらの組み合わせであってもよい。したがって、本明細書で記載されるデバイス800の機能及び/又は特有の構成は、要求に応じてデバイス800の様々な実施形態の中で含められることもあり、又は省略されることもある。
【００５２】
デバイス800の複数の実施形態は、単一入力単一出力（SISO）アーキテクチャを使用して実装されてもよい。しかしながら、ある実施形態は、ビームフォーミング又は空間分割多元接続（SDMA）のためのアダプティブアンテナ技術を使用する及び/又はMIMO通信技術を使用する送信及び/又は受信のための（アンテナ818-f等の）複数のアンテナを含んでいてもよい。
【００５３】
デバイス800の構成要素及び特徴は、ディスクリート回路、特定用途向け集積回路（ASIC）、ロジックゲート及び/又はシングルチップアーキテクチャのいずれかの組み合わせを使用して実装されてもよい。さらに、デバイス800の特徴は、マイクロコントローラ、プログラマブルロジックアレイ、及び/又はマイクロプロセッサ、又は用途に適するこれらのいずれかの組み合わせを使用して実装されてもよい。ハードウェア構成要素、ファームウェア構成要素、及び/又はソフトウェア構成要素は、集合的に又は個々に、“ロジック”又は“回路”と称されてもよいということに留意すべきである。
【００５４】
図8のブロック図に示される例示的なデバイス800は、多くの可能な実装の1つの機能的に記述された例を示しているということを理解すべきである。したがって、添付の図面に示されるブロック機能の分割、省略、又は包含は、複数の実施形態において、これらの機能を実装するためのハードウェア構成要素、回路、ソフトウェア構成要素、及び/又はこれらの機能を実装するための要素を分割し、省略し、又は含めることを必ずしも示唆するものではない。
【００５５】
図9は、ブロードバンド無線アクセスシステム900の1つの実施形態を図示している。図9に示されているように、ブロードバンド無線アクセスシステム900は、インターネット910のタイプのネットワークを含むインターネットプロトコル（IP）タイプのネットワークであってもよく、インターネットプロトコル（IP）タイプのネットワークは、インターネット910へのモバイル無線アクセス及び/又は固定の無線アクセスをサポートすることが可能である。1つまたは複数の実施形態において、ブロードバンド無線アクセスシステム900は、3GPP  LTE仕様書及び/又はIEEE802.16規格のうちの1つまたは複数に準拠するシステム等の直交周波数分割多元接続（OFDMA）ベースの無線ネットワーク又は単一キャリア周波数分割多元接続（SC-FDMA）ベースの無線ネットワークのうちのいずれかのタイプの無線ネットワークを含んでもよく、請求項に記載される主題の範囲はこれらの態様には限定されない。
【００５６】
例示的な無線アクセスシステム900において、無線アクセスネットワーク（RAN）912及び918は、それぞれ、進化型NodeB（eNB）914及び920に接続することが可能であり、eNB914及び920は、1つまたは複数の固定のデバイス916とインターネット910との間の無線通信及び/又は1つまたは複数のモバイルデバイス922とインターネット910との間の無線通信を提供することが可能である。固定のデバイス916およびモバイルデバイス922の1つの例は、図8のデバイス800であり、固定のデバイス916は、デバイス800の静止版を含んでもよく、モバイルデバイス922は、デバイス800の移動可能版を含んでもよい。RAN912及び918は、複数のプロファイルを実装してもよく、これらの複数のプロファイルは、複数のネットワーク機能のブロードバンド無線アクセスシステム900上の1つまたは複数の物理エンティティへのマッピングを定義することが可能であってもよい。eNB914及び920は、無線機器を含んでもよく、その無線機器は、デバイス800を参照して説明されたように固定のデバイス916及び/又はモバイルデバイス922とのRF通信を提供してもよく、eNB914及び920は、例えば、3GPP  LTE仕様書又はIEEE802.16規格に準拠するPHY層機器及びMAC層機器を含んでもよい。eNB914及び920は、それぞれIPバックプレーンを含んでもよく、IPバックプレーンは、RAN912及び918を介してインターネット910に接続してもよく、請求項に記載される主題の範囲は、これらの態様には限定されない。
【００５７】
ブロードバンド無線アクセスシステム900は、訪問先コアネットワーク（CN）924及び/又はホームコアネットワーク（CN）926をさらに含んでもよく、訪問先コアネットワーク（CN）924及びホームコアネットワーク（CN）926の各々は、プロキシタイプの機能及び/又はリレータイプの機能には限定されないが、例えば、認証認可及びアカウンティング（AAA）機能、ダイナミックホスト構成プロトコル（DHCP）機能、又はドメインネームサービス制御又はその他同様のもの、公衆交換電話ネットワーク（PSTN）ゲートウェイ若しくはボイスオーバーインターネットプロトコル（VoIP）ゲートウェイ等のドメインゲートウェイ、及び/又はインターネットプロトコル（IP）タイプのサーバ機能、又はその他同様のものを含む1つ又は複数のネットワーク機能を提供することが可能であってもよい。しかしながら、これらは、訪問先CN及び/又はホームCNによって提供されうる複数の機能のタイプの例に過ぎず、請求項に記載される主題の範囲は、これらの態様には限定されない。例えば、固定のデバイス916またはモバイルデバイス922がそれぞれのホームCN926から離れてローミングしている場合、又はブロードバンド無線アクセスシステム900が固定のデバイス916又はモバイルデバイス922の正規のサービスプロバイダの一部であるが、ブロードバンド無線アクセスシステム900が固定のデバイス916又はモバイルデバイス922のメイン又はホームロケーションではない他のロケーション又は状態である場合等の、訪問先CN924が固定のデバイス916又はモバイルデバイス922の正規のサービスプロバイダの一部ではない場合には、訪問先CN924は、Visited  CNと称されてもよい。実施形態は、上記の記載には限定されない。
【００５８】
固定のデバイス916は、eNB914及び920並びにRAN912及び918、並びにホームCN926を介してインターネット910への家庭用又は業務用の顧客ブロードバンドアクセスを提供する家庭又は就業場所に或いは家庭又は就業場所の近く等の、eNB914及び920の一方又は双方の範囲内のいずれかの場所に位置していてもよい。固定のデバイス916は一般的に静止した場所に配置されるが、固定のデバイス916は必要に応じて異なる場所に移動してもよいということに留意すべきである。例えば、モバイルデバイス922がeNB914及び920の一方又は双方の範囲内にある場合には、モバイルデバイス922は、1つ又は複数の場所で利用されてもよい。1つ又は複数の実施形態に従って、オペレーションサポートシステム（OSS）928は、ブロードバンド無線アクセスシステム900の一部であってもよく、ブロードバンド無線アクセスシステム900のための管理機能を提供するとともに、ブロードバンド無線アクセスシステム900の複数の機能エンティティの間のインターフェイスを提供してもよい。図9のブロードバンド無線アクセスシステム900は、ブロードバンド無線アクセスシステム900のある数の構成要素を示す無線ネットワークの1つのタイプであるにすぎず、請求項に記載される主題は、上記の態様には限定されない。
【００５９】
さまざまな実施形態は、ハードウェア構成要素、ソフトウェア構成要素、又はそれらの組み合わせを使用して実装されてもよい。ハードウェア構成要素の例は、プロセッサ、マイクロプロセッサ、回路、（トランジスタ、抵抗器、コンデンサ、インダクタ等の）回路素子、集積回路、特定用途向け集積回路（ASIC）、プログラマブルロジックデバイス（PLD）、ディジタルシグナルプロセッサ（DSP）、フィールドプログラマブルゲートアレイ（FPGA）、ロジックゲート、レジスタ、半導体デバイス、チップ、マイクロチップ、チップセット等を含んでもよい。ソフトウェア構成要素の例は、ソフトウェアコンポーネント、プログラム、アプリケーション、コンピュータプログラム、アプリケーションプログラム、システムプログラム、マシンプログラム、オペレーティングシステムソフトウェア、ミドルウェア、ファームウェア、ソフトウェアモジュール、ルーティン、サブルーティン、機能、方法、手順、ソフトウェアインターフェイス、アプリケーションプログラムインターフェイス（API）、命令セット、コンピューティングコード、コンピュータコード、コードセグメント、コンピュータコードセグメント、ワード、値、シンボル、又はこれらのいずれかの組み合わせを含んでもよい。実施形態がハードウェア構成要素及び/又はソフトウェア構成要素を使用して実装されるべきか否かに関する決定は、所望の計算速度、電力レベル、熱耐性、処理循環予算、入力データレート、出力データレート、金銭的資源、データバススピード、及び他の設計的な制約又は他の性能的な制約等のさまざまな要因に従って変化しうる。
【００６０】
少なくとも1つの実施形態の1つ又は複数の態様は、機械読み取り可能な媒体に格納される複数の表現的な命令によって実装されてもよく、それらの複数の表現的な命令は、プロセッサ内でさまざまなロジックを表現し、機械によって読み込まれると、その機械に、ロジックを構成させるとともに、本明細書で説明される技術を実行させる。“IPコア”として知られるそのような表現は、有体の機械読み取り可能な媒体に格納され、さまざまな顧客の設備又は製造設備に供給され、実際にロジック又はプロセッサを作成する組み立て機械にロードされる。実施形態のうちのいくつかは、例えば、機械読み取り可能な媒体又は機械読み取り可能な物品を使用して実装されてもよく、機械読み取り可能な媒体又は機械読み取り可能な物品は、1つの命令又は複数の命令の1つのセットを格納してもよく、1つの命令又は複数の命令の1つのセットは、機械によって実行されると、複数の実施形態に従った方法及び/又は動作をその機械に実行させてもよい。そのような機械は、例えば、いずれかの適切な処理プラットフォーム、コンピューティングプラットフォーム、コンピューティングデバイス、コンピューティングシステム、処理システム、コンピュータ、プロセッサ、又はその他同様のものを含んでもよく、ハードウェア及び/又はソフトウェアのいずれかの適切な組み合わせを使用して実装されてもよい。機械読み取り可能な媒体又は機械読み取り可能な物品は、例えば、いずれかの適切なタイプのメモリユニット、メモリデバイス、メモリ物品、メモリ媒体、記憶デバイス、記憶物品、記憶媒体及び/又は記憶ユニット、、メモリ、取り外し可能な媒体又は取り外し可能でない媒体、消去可能な媒体又は消去可能でない媒体、書き込み可能な媒体又は再書き込み可能な媒体、ディジタル媒体又はアナログ媒体、ハードディスク、フロッピィディスク、コンパクトディスクリードオンリーメモリ（CD-ROM）、記録可能コンパクトディスク（CD-R）、再書込み可能コンパクトディスク（CD-RW）、光ディスク、磁気媒体、磁気光媒体、取り外し可能メモリカード又は取り外し可能メモリディスク、さまざまなタイプのディジタル多用途ディスク（DVD）、テープ、カセット、又はその他同様のものを含んでもよい。命令は、いずれかの適切なハイレベル、ローレベル、オブジェクト指向、視覚的、コンパイルされた及び/又は解釈されたプログラミング言語を使用して実装されるソースコード、コンパイルされたコード、解釈されたコード、実行可能なコード、スタティックコード、ダイナミックコード、暗号化されたコード、及びその他同様のものを含んでもよい。
【００６１】
以下の例は、さらなる実施形態に関している。
例
【００６２】
例1は、進化型NodeB（eNB）であって、少なくとも一部がハードウェアの形態であるロジックを含み、前記ロジックは、当該進化型NodeB（eNB）によってサービスを提供されるセルの物理ダウンリンク共有チャネル（PDSCH）を介する直角位相シフトキーイング（QPSK）変調されるセル無線ネットワーク一時識別子（C-RNTI）ベースの送信のための電力オフセット値を選択し、無線リソース制御（RRC）接続制御メッセージを送信し、前記無線リソース制御（RRC）接続制御メッセージは、ネットワーク支援干渉除去及び抑圧（NAICS）アシスタンス情報を含み、前記ネットワーク支援干渉除去及び抑圧（NAICS）アシスタンス情報は、選択される前記電力オフセット値を特定する、進化型NodeB（eNB）である。
【００６３】
例2は、例1に記載の進化型NodeB（eNB）において、前記ネットワーク支援干渉除去及び抑圧（NAICS）アシスタンス情報は、無線リソース制御（RRC）接続制御メッセージのRadioResourceConfigDedicatedフィールドの中に含まれるように構成される、進化型NodeB（eNB）である。
【００６４】
例3は、例1に記載の進化型NodeB（eNB）において、前記電力オフセット値は、電力オフセットパラメータのための値を含むように構成され、前記電力オフセットパラメータは、リソースエレメントごとの物理ダウンリンク共有チャネル（PDSCH）エネルギー（PDSCH  EPRE）とリソースエレメントごとのセル特有参照信号（CRS）エネルギー（CRS  EPRE）との間の比率を決定する、進化型NodeB（eNB）である。
【００６５】
例4は、例5に記載の進化型NodeB（eNB）において、前記ロジックは、前記物理ダウンリンク共有チャネル（PDSCH）を介する前記直角位相シフトキーイング（QPSK）変調されるセル無線ネットワーク一時識別子（C-RNTI）ベースの送信のための前記電力オフセット値及び前記物理ダウンリンク共有チャネル（PDSCH）を介する直交振幅変調（QAM）される送信のための電力オフセット値を、複数の値の1つの共通のセットから選択する、進化型NodeB（eNB）である。
【００６６】
例5は、例1に記載の進化型NodeB（eNB）において、前記ロジックは、-6dB、-4.77dB、-3dB、-1.77dB、0dB、1dB、2dB、及び3dBを含む値の1つの定義されるセットから、前記物理ダウンリンク共有チャネル（PDSCH）を介する前記直角位相シフトキーイング（QPSK）変調されるセル無線ネットワーク一時識別子（C-RNTI）ベースの送信のための電力オフセット値を選択する、進化型NodeB（eNB）である。
【００６７】
例6は、例1に記載の進化型NodeB（eNB）において、前記無線リソース制御（RRC）接続制御メッセージは、RRCConnectionSetupメッセージ、RRCConnectionReestablishmentメッセージ、又はRRCConnectionReconfigurationメッセージを含む、進化型NodeB（eNB）である。
【００６８】
例7は、例1乃至6のいずれかに記載の進化型NodeB（eNB）において、1つ又は複数の無線周波数（RF）トランシーバ及び1つ又は複数の無線周波数（RF）アンテナを含む、進化型NodeB（eNB）である。
【００６９】
例8は、例7に記載の進化型NodeB（eNB）において、少なくとも1つのメモリユニットを含む、進化型NodeB（eNB）である。
【００７０】
例9は、複数の命令の1つのセットを含む少なくとも1つの非一時的コンピュータ読み取り可能な記憶媒体であって、ユーザ機器（UE）によって前記複数の命令の1つのセットを実行することに応答して、前記ユーザ機器（UE）は、RadioResourceConfigDedicatedフィールドを含む無線リソース制御（RRC）接続制御メッセージを受信し、前記無線リソース制御（RRC）接続制御メッセージは、ネットワーク支援干渉除去及び抑圧（NAICS）アシスタンス情報を含むように構成され、前記ネットワーク支援干渉除去及び抑圧（NAICS）アシスタンス情報は、前記ユーザ機器（UE）のサービングセルの物理ダウンリンク共有チャネル（PDSCH）を介する前記ユーザ機器（UE）への1つ又は複数の送信のための電力オフセット値を特定し、前記無線リソース制御（RRC）接続制御メッセージの受信に応答して無線リソース構成手順を実行する、少なくとも1つの非一時的コンピュータ読み取り可能な記憶媒体である。
【００７１】
例10は、例9に記載の少なくとも1つの非一時的コンピュータ読み取り可能な記憶媒体において、前記1つ又は複数の送信は、直角位相シフトキーイング（QPSK）変調されるセル無線ネットワーク一時識別子（C-RNTI）ベースの送信を含む、少なくとも1つの非一時的コンピュータ読み取り可能な記憶媒体である。
【００７２】
例11は、例10に記載の少なくとも1つの非一時的コンピュータ読み取り可能な記憶媒体において、前記無線リソース制御（RRC）接続制御メッセージは、前記サービングセルの前記物理ダウンリンク共有チャネル（PDSCH）を介する前記ユーザ機器（UE）への1つ又は複数の直交振幅変調（QAM）された送信のための電力オフセット値を特定する情報を含むように構成される、少なくとも1つの非一時的コンピュータ読み取り可能な記憶媒体である。
【００７３】
例12は、例9に記載の少なくとも1つの非一時的コンピュータ読み取り可能な記憶媒体において、前記ネットワーク支援干渉除去及び抑圧（NAICS）アシスタンス情報は、RadioResourceConfigDedicatedフィールドのサブフィールドの中に含まれるように構成される、少なくとも1つの非一時的コンピュータ読み取り可能な記憶媒体である。
【００７４】
例13は、例9に記載の少なくとも1つの非一時的コンピュータ読み取り可能な記憶媒体において、前記電力オフセット値は、-6dB、-4.77dB、-3dB、-1.77dB、0dB、1dB、2dB、及び3dBを含む値の1つの定義されるセットに含まれるように構成される、少なくとも1つの非一時的コンピュータ読み取り可能な記憶媒体である。
【００７５】
例14は、例9に記載の少なくとも1つの非一時的コンピュータ読み取り可能な記憶媒体において、前記無線リソース制御（RRC）接続制御メッセージは、RRCConnectionSetupメッセージ、RRCConnectionReestablishmentメッセージ、又はRRCConnectionReconfigurationメッセージを含む、少なくとも1つの非一時的コンピュータ読み取り可能な記憶媒体である。
【００７６】
例15は、無線通信方法であって、前記進化型NodeB（eNB）によってサービスを提供されるセルの物理ダウンリンク共有チャネル（PDSCH）を介する直角位相シフトキーイング（QPSK）変調されるセル無線ネットワーク一時識別子（C-RNTI）ベースの送信のための電力オフセット値を含む第1の電力オフセット値を、進化型NodeB（eNB）における処理回路によって選択するステップと、前記進化型NodeB（eNB）によってサービスを提供される前記セルの前記物理ダウンリンク共有チャネル（PDSCH）を介する直交振幅変調（QAM）される送信のための電力オフセット値を含む第2の電力オフセット値を選択するステップと、無線リソース制御（RRC）接続制御メッセージを送信するステップとを含み、前記無線リソース制御（RRC）接続制御メッセージは、RadioResourceConfigDedicatedフィールドを収容し、前記RadioResourceConfigDedicatedフィールドは、前記第1の電力オフセット値及び前記第2の電力オフセット値を含む、無線通信方法である。
【００７７】
例16は、例15に記載の無線通信方法において、前記RadioResourceConfigDedicatedフィールドは、ネットワーク支援干渉除去及び抑圧（NAICS）アシスタンス情報を含むように構成され、前記ネットワーク支援干渉除去及び抑圧（NAICS）アシスタンス情報は、前記第1の電力オフセット値を特定する、無線通信方法である。
【００７８】
例17は、例16に記載の無線通信方法において、前記ネットワーク支援干渉除去及び抑圧（NAICS）アシスタンス情報は、RadioResourceConfigDedicatedフィールドのサブフィールドの中に含まれるように構成される、無線通信方法である。
【００７９】
例18は、例15の無線通信方法において、複数の値の1つの共通のセットから前記第1の電力オフセット値及び前記第2の電力オフセット値を選択するステップを含む、無線通信方法である。
【００８０】
例19は、例15に記載の無線通信方法において、-6dB、-4.77dB、-3dB、-1.77dB、0dB、1dB、2dB、及び3dBを含む値の1つの定義されるセットから、前記第1の電力オフセット値を選択するステップを含む、無線通信方法である。
【００８１】
例20は、例15に記載の無線通信方法において、前記無線リソース制御（RRC）接続制御メッセージは、RRCConnectionSetupメッセージ、RRCConnectionReestablishmentメッセージ、又はRRCConnectionReconfigurationメッセージを含むように構成される、無線通信方法である。
【００８２】
例21は、複数の命令の1つのセットを含む少なくとも1つの非一時的コンピュータ読み取り可能な記憶媒体であって、コンピューティングデバイスの上で前記複数の命令の1つのセットを実行することに応答して、例15乃至20のいずれかに記載の無線通信方法を前記コンピューティングデバイスに実行させる、少なくとも1つの非一時的コンピュータ読み取り可能な記憶媒体である。
【００８３】
例22は、例15乃至20のいずれかに記載の無線通信方法を実行する手段を含む装置である。
【００８４】
例23は、例22に記載の装置と、1つ又は複数の無線周波数（RF）トランシーバと、1つ又は複数の無線周波数（RF）アンテナとを含むシステムである。
【００８５】
例24は、例23に記載のシステムにおいて、少なくとも1つのメモリユニットを含む、システムである。
【００８６】
例25は、ユーザ機器（UE）であって、無線リソース制御（RRC）接続制御メッセージを受信する手段と、前記無線リソース制御（RRC）接続制御メッセージに含まれるRadioResourceConfigDedicatedフィールドに基づいて無線リソース構成手順を実行する手段とを含み、前記RadioResourceConfigDedicatedフィールドは、ネットワーク支援干渉除去及び抑圧（NAICS）アシスタンス情報を含むように構成され、前記ネットワーク支援干渉除去及び抑圧（NAICS）アシスタンス情報は、当該ユーザ機器（UE）のサービングセルの物理ダウンリンク共有チャネル（PDSCH）を介する当該ユーザ機器（UE）への直角位相シフトキーイング（QPSK）変調されるセル無線ネットワーク一時識別子（C-RNTI）ベースの送信のための電力オフセット値を指定する、ユーザ機器（UE）である。
【００８７】
例26は、例25に記載のユーザ機器（UE）において、前記ネットワーク支援干渉除去及び抑圧（NAICS）アシスタンス情報は、前記RadioResourceConfigDedicatedフィールドのサブフィールドの中に含まれるように構成される、ユーザ機器（UE）である。
【００８８】
例27は、例25に記載のユーザ機器（UE）において、前記RadioResourceConfigDedicatedフィールドは、前記サービングセルの前記物理ダウンリンク共有チャネル（PDSCH）を介する当該ユーザ機器（UE）への複数の直交振幅変調（QAM）される送信のための電力オフセット値を特定する情報を含むように構成される、ユーザ機器（UE）である。
【００８９】
例28は、例25に記載のユーザ機器（UE）において、前記電力オフセット値は、-6dB、-4.77dB、-3dB、-1.77dB、0dB、1dB、2dB、及び3dBを含む値の1つの定義されるセットに含まれるように構成される、ユーザ機器（UE）である。
【００９０】
例29は、例25に記載のユーザ機器（UE）において、前記無線リソース制御（RRC）接続制御メッセージは、RRCConnectionSetupメッセージ、RRCConnectionReestablishmentメッセージ、又はRRCConnectionReconfigurationメッセージを含むように構成される、ユーザ機器（UE）である。
【００９１】
例30は、例25に記載のユーザ機器（UE）において、当該ユーザ機器（UE）の前記サービングセルの前記物理ダウンリンク共有チャネル（PDSCH）を介する当該ユーザ機器（UE）への前記直角位相シフトキーイング（QPSK）変調されるセル無線ネットワーク一時識別子（C-RNTI）ベースの送信のための前記電力オフセット値に基づいて、1つ又は複数のネットワーク支援干渉除去及び抑圧（NAICS）セル間干渉軽減アルゴリズムを適用する手段を含む、ユーザ機器（UE）である。
【００９２】
例31は、例25乃至30のいずれかに記載のユーザ機器（UE）において、1つ又は複数の無線周波数（RF）トランシーバと1つ又は複数の無線周波数（RF）アンテナとを含む、ユーザ機器（UE）である。
【００９３】
例32は、例31に記載のユーザ機器（UE）において、タッチスクリーンディスプレイを含む、ユーザ機器（UE）である。
【００９４】
例33は、無線通信方法であって、RadioResourceConfigDedicatedフィールドを含む無線リソース制御（RRC）接続制御メッセージをユーザ機器（UE）で受信するステップであって、前記無線リソース制御（RRC）接続制御メッセージは、ネットワーク支援干渉除去及び抑圧（NAICS）アシスタンス情報を含むように構成され、前記ネットワーク支援干渉除去及び抑圧（NAICS）アシスタンス情報は、前記ユーザ機器（UE）のサービングセルの物理ダウンリンク共有チャネル（PDSCH）を介する前記ユーザ機器（UE）への1つ又は複数の送信のための電力オフセット値を特定する、受信するステップと、前記無線リソース制御（RRC）接続制御メッセージの受信に応答して無線リソース構成手順を前記ユーザ機器（UE）の処理回路によって実行するステップとを含む、無線通信方法である。
【００９５】
例34は、例33に記載の無線通信方法において、前記1つ又は複数の送信は、直角位相シフトキーイング（QPSK）変調されるセル無線ネットワーク一時識別子（C-RNTI）ベースの送信を含む、無線通信方法である。
【００９６】
例35は、例34に記載の無線通信方法において、前記無線リソース制御（RRC）接続制御メッセージは、前記サービングセルの前記物理ダウンリンク共有チャネル（PDSCH）を介する前記ユーザ機器（UE）への1つ又は複数の直交振幅変調（QAM）される送信のための電力オフセット値を特定する情報を含むように構成される、無線通信方法である。
【００９７】
例36は、例33に記載の無線通信方法において、前記ネットワーク支援干渉除去及び抑圧（NAICS）アシスタンス情報は、前記RadioResourceConfigDedicatedフィールドのサブフィールドの中に含まれるように構成される、無線通信方法である。
【００９８】
例37は、例33に記載の無線通信方法において、前記電力オフセット値は、-6dB、-4.77dB、-3dB、-1.77dB、0dB、1dB、2dB、及び3dBを含む値の1つの定義されるセットに含まれるように構成される、無線通信方法である。
【００９９】
例38は、例33に記載の無線通信方法において、前記無線リソース制御（RRC）接続制御メッセージは、RRCConnectionSetupメッセージ、RRCConnectionReestablishmentメッセージ、又はRRCConnectionReconfigurationメッセージを含むように構成される、無線通信方法である。
【０１００】
例39は、複数の命令の1つのセットを含む少なくとも1つの非一時的コンピュータ読み取り可能な記憶媒体であって、コンピューティングデバイスの上で前記複数の命令の1つのセットを実行することに応答して、例33乃至38のいずれかに記載の無線通信方法を前記コンピューティングデバイスに実行させる、少なくとも1つの非一時的コンピュータ読み取り可能な記憶媒体である。
【０１０１】
例40は、例33乃至38のいずれかに記載の無線通信方法を実行する手段を含む装置である。
【０１０２】
例41は、例40に記載の装置と、1つ又は複数の無線周波数（RF）トランシーバと、1つ又は複数の無線周波数（RF）アンテナとを含むシステムである。
【０１０３】
例42は、例41に記載のシステムにおいて、タッチスクリーンディスプレイを含む、システムである。
【０１０４】
例43は、進化型NodeB（eNB）であって、当該進化型NodeB（eNB）によってサービスを提供されるセルの物理ダウンリンク共有チャネル（PDSCH）を介する直角位相シフトキーイング（QPSK）変調されるセル無線ネットワーク一時識別子（C-RNTI）ベースの送信のための電力オフセット値を含む第1の電力オフセット値を選択する手段と、当該進化型NodeB（eNB）によってサービスを提供される前記セルの前記物理ダウンリンク共有チャネル（PDSCH）を介する直交振幅変調（QAM）される送信のための電力オフセット値を含む第2の電力オフセット値を選択する手段と、無線リソース制御（RRC）接続制御メッセージを送信する手段とを含み、前記無線リソース制御（RRC）接続制御メッセージは、RadioResourceConfigDedicatedフィールドを収容し、前記RadioResourceConfigDedicatedフィールドは、前記第1の電力オフセット値及び前記第2の電力オフセット値を含む、進化型NodeB（eNB）である。
【０１０５】
例44は、例43に記載の進化型NodeB（eNB）において、前記RadioResourceConfigDedicatedフィールドは、ネットワーク支援干渉除去及び抑圧（NAICA）アシスタンス情報を含むように構成され、前記ネットワーク支援干渉除去及び抑圧（NAICS）アシスタンス情報は、前記第1の電力オフセット値を特定する、進化型NodeB（eNB）である。
【０１０６】
例45は、例44に記載の進化型NodeB（eNB）において、前記ネットワーク支援干渉除去及び抑圧（NAICS）アシスタンス情報は、前記RadioResourceConfigDedicatedフィールドのサブフィールドの中に含まれるように構成される、進化型NodeB（eNB）である。
【０１０７】
例46は、例43に記載の進化型NodeB（eNB）において、複数の値の1つの共通のセットから前記第1の電力オフセット値及び前記第2の電力オフセット値を選択する手段を含む、進化型NodeB（eNB）である。
【０１０８】
例47は、例43に記載の進化型NodeB（eNB）において、-6dB、-4.77dB、-3dB、-1.77dB、0dB、1dB、2dB、及び3dBを含む値の1つの定義されるセットから、前記第1の電力オフセット値を選択する手段を含む、進化型NodeB（eNB）である。
【０１０９】
例48は、例43に記載の進化型NodeB（eNB）において、前記無線リソース制御（RRC）接続制御メッセージは、RRCConnectionSetupメッセージ、RRCConnectionReestablishmentメッセージ、又はRRCConnectionReconfigurationメッセージを含むように構成される、進化型NodeB（eNB）である。
【０１１０】
例49は、例43乃至48のいずれかに記載の進化型NodeB（eNB）において、1つ又は複数の無線周波数（RF）トランシーバと1つ又は複数の無線周波数（RF）アンテナとを含む、進化型NodeB（eNB）である。
【０１１１】
例50は、例49に記載の進化型NodeB（eNB）において、少なくとも1つのメモリユニットを含む、進化型NodeB（eNB）である。
【０１１２】
例51は、ユーザ機器（UE）であって、少なくとも一部がハードウェアの形態であるロジックを含み、前記ロジックは、無線リソース制御（RRC）接続制御メッセージを受信し、前記無線リソース制御（RRC）接続制御メッセージに含まれるRadioResourceConfigDedicatedフィールドに基づいて無線リソース構成手順を実行し、前記RadioResourceConfigDedicatedフィールドは、ネットワーク支援干渉除去及び抑圧（NAICS）アシスタンス情報を含むように構成され、前記ネットワーク支援干渉除去及び抑圧（NAICS）アシスタンス情報は、当該ユーザ機器（UE）のサービングセルの物理ダウンリンク共有チャネル（PDSCH）を介する当該ユーザ機器（UE）への直角位相シフトキーイング（QPSK）変調されるセル無線ネットワーク一時識別子（C-RNTI）ベースの送信のための電力オフセット値を指定する、ユーザ機器（UE）である。
【０１１３】
例52は、例51に記載のユーザ機器（UE）において、前記ネットワーク支援干渉除去及び抑圧（NAICS）アシスタンス情報は、前記RadioResourceConfigDedicatedフィールドのサブフィールドの中に含まれるように構成される、ユーザ機器（UE）である。
【０１１４】
例53は、例51に記載のユーザ機器（UE）において、前記RadioResourceConfigDedicatedフィールドは、前記サービングセルの前記物理ダウンリンク共有チャネル（PDSCH）を介する当該ユーザ機器（UE）への複数の直交振幅変調（QAM）される送信のための電力オフセット値を特定する情報を含むように構成される、ユーザ機器（UE）である。
【０１１５】
例54は、例51に記載のユーザ機器（UE）において、前記電力オフセット値は、-6dB、-4.77dB、-3dB、-1.77dB、0dB、1dB、2dB、及び3dBを含む値の1つの定義されるセットに含まれるように構成される、ユーザ機器（UE）である。
【０１１６】
例55は、例51に記載のユーザ機器（UE）において、前記無線リソース制御（RRC）接続制御メッセージは、RRCConnectionSetupメッセージ、RRCConnectionReestablishmentメッセージ、又はRRCConnectionReconfigurationメッセージを含むように構成される、ユーザ機器（UE）である。
【０１１７】
例56は、例51に記載のユーザ機器（UE）において、前記ロジックは、当該ユーザ機器（UE）の前記サービングセルの前記物理ダウンリンク共有チャネル（PDSCH）を介する当該ユーザ機器（UE）への前記直角位相シフトキーイング（QPSK）変調されるセル無線ネットワーク一時識別子（C-RNTI）ベースの送信のための前記電力オフセット値に基づいて、1つ又は複数のネットワーク支援干渉除去及び抑圧（NAICS）セル間干渉軽減アルゴリズムを適用するように構成される、ユーザ機器（UE）である。
【０１１８】
例57は、例51乃至56のいずれかに記載のユーザ機器（UE）において、1つ又は複数の無線周波数（RF）トランシーバと1つ又は複数の無線周波数（RF）アンテナとを含む、ユーザ機器（UE）である。
【０１１９】
例58は、例57に記載のユーザ機器（UE）において、タッチスクリーンディスプレイを含む、ユーザ機器（UE）である。
【０１２０】
例59は、複数の命令の1つのセットを含む少なくとも1つの非一時的コンピュータ読み取り可能な記憶媒体であって、進化型NodeB（eNB）によって前記複数の命令の1つのセットを実行することに応答して、前記進化型NodeB（eNB）は、前記進化型NodeB（eNB）によってサービスを提供されるセルの物理ダウンリンク共有チャネル（PDSCH）を介する直角位相シフトキーイング（QPSK）変調されるセル無線ネットワーク一時識別子（C-RNTI）ベースの送信のための電力オフセット値を選択し、ネットワーク支援干渉除去及び抑圧（NAICS）アシスタンス情報を含む無線リソース制御（RRC）接続制御メッセージを送信し、前記ネットワーク支援干渉除去及び抑圧（NAICS）アシスタンス情報は、選択される前記電力オフセット値を特定する、少なくとも1つの非一時的コンピュータ読み取り可能な記憶媒体である。
【０１２１】
例60は、例59に記載の少なくとも1つの非一時的コンピュータ読み取り可能な記憶媒体において、前記ネットワーク支援干渉除去及び抑圧（NAICS）アシスタンス情報は、無線リソース制御（RRC）接続制御メッセージのRadioResourceConfigDedicatedフィールドの中に含まれるように構成される、少なくとも1つの非一時的コンピュータ読み取り可能な記憶媒体である。
【０１２２】
例61は、例59に記載の少なくとも1つの非一時的コンピュータ読み取り可能な記憶媒体において、前記電力オフセット値は、電力オフセットパラメータのための値を含むように構成され、前記電力オフセットパラメータは、リソースエレメントごとの物理ダウンリンク共有チャネル（PDSCH）エネルギー（PDSCH  EPRE）とリソースエレメントごとのセル特有参照信号（CRS）エネルギー（CRS  EPRE）との間の比率を決定する、少なくとも1つの非一時的コンピュータ読み取り可能な記憶媒体である。
【０１２３】
例62は、例59に記載の少なくとも1つの非一時的コンピュータ読み取り可能な記憶媒体において、前記進化型NodeB（eNB）によって前記複数の命令の1つのセットを実行することに応答して、前記進化型NodeB（eNB）に、前記物理ダウンリンク共有チャネル（PDSCH）を介する前記直角位相シフトキーイング（QPSK）変調されるセル無線ネットワーク一時識別子（C-RNTI）ベースの送信のための前記電力オフセット値及び前記物理ダウンリンク共有チャネル（PDSCH）を介する直交振幅変調（QAM）される送信のための電力オフセット値を、複数の値の1つの共通のセットから選択させる命令を含む、少なくとも1つの非一時的コンピュータ読み取り可能な記憶媒体である。
【０１２４】
例63は、例59に記載の少なくとも1つの非一時的コンピュータ読み取り可能な記憶媒体において、前記進化型NodeB（eNB）によって前記複数の命令の1つのセットを実行することに応答して、前記進化型NodeB（eNB）に、-6dB、-4.77dB、-3dB、-1.77dB、0dB、1dB、2dB、及び3dBを含む値の1つの定義されるセットから、前記物理ダウンリンク共有チャネル（PDSCH）を介する前記直角位相シフトキーイング（QPSK）変調されるセル無線ネットワーク一時識別子（C-RNTI）ベースの送信のための電力オフセット値を選択させる命令を含む、少なくとも1つの非一時的コンピュータ読み取り可能な記憶媒体である。
【０１２５】
例64は、例59に記載の少なくとも1つの非一時的コンピュータ読み取り可能な記憶媒体において、前記無線リソース制御（RRC）接続制御メッセージは、RRCConnectionSetupメッセージ、RRCConnectionReestablishmentメッセージ、又はRRCConnectionReconfigurationメッセージを含む、少なくとも1つの非一時的コンピュータ読み取り可能な記憶媒体である。
【０１２６】
例65は、進化型NodeB（eNB）であって、少なくとも一部がハードウェアの形態であるロジックを含み、前記ロジックは、当該進化型NodeB（eNB）によってサービスを提供されるセルの物理ダウンリンク共有チャネル（PDSCH）を介する直角位相シフトキーイング（QPSK）変調されるセル無線ネットワーク一時識別子（C-RNTI）ベースの送信のための電力オフセット値を含む第1の電力オフセット値を選択し、当該進化型NodeB（eNB）によってサービスを提供される前記セルの前記物理ダウンリンク共有チャネル（PDSCH）を介する直交振幅変調（QAM）される送信のための電力オフセット値を含む第2の電力オフセット値を選択し、無線リソース制御（RRC）接続制御メッセージを送信し、前記無線リソース制御（RRC）接続制御メッセージは、RadioResourceConfigDedicatedフィールドを収容し、前記RadioResourceConfigDedicatedフィールドは、前記第1の電力オフセット値及び前記第2の電力オフセット値を含む、進化型NodeB（eNB）である。
【０１２７】
例66は、例65に記載の進化型NodeB（eNB）において、前記RadioResourceConfigDedicatedフィールドは、ネットワーク支援干渉除去及び抑圧（NAICA）アシスタンス情報を含むように構成され、前記ネットワーク支援干渉除去及び抑圧（NAICS）アシスタンス情報は、前記第1の電力オフセット値を特定する、進化型NodeB（eNB）である。
【０１２８】
例67は、例66に記載の進化型NodeB（eNB）において、前記ネットワーク支援干渉除去及び抑圧（NAICS）アシスタンス情報は、前記RadioResourceConfigDedicatedフィールドのサブフィールドの中に含まれるように構成される、進化型NodeB（eNB）である。
【０１２９】
例68は、例65に記載の進化型NodeB（eNB）において、前記ロジックは、複数の値の1つの共通のセットから前記第1の電力オフセット値及び前記第2の電力オフセット値を選択するように構成される、進化型NodeB（eNB）である。
【０１３０】
例69は、例65に記載の進化型NodeB（eNB）において、前記ロジックは、-6dB、-4.77dB、-3dB、-1.77dB、0dB、1dB、2dB、及び3dBを含む値の1つの定義されるセットから、前記第1の電力オフセット値を選択するように構成される、進化型NodeB（eNB）である。
【０１３１】
例70は、例65に記載の進化型NodeB（eNB）において、前記無線リソース制御（RRC）接続制御メッセージは、RRCConnectionSetupメッセージ、RRCConnectionReestablishmentメッセージ、又はRRCConnectionReconfigurationメッセージを含むように構成される、進化型NodeB（eNB）である。
【０１３２】
例71は、例65乃至70のいずれかに記載の進化型NodeB（eNB）において、1つ又は複数の無線周波数（RF）トランシーバと1つ又は複数の無線周波数（RF）アンテナとを含む、進化型NodeB（eNB）である。
【０１３３】
例72は、例71に記載の進化型NodeB（eNB）において、少なくとも1つのメモリユニットを含む、進化型NodeB（eNB）である。
【０１３４】
例73は、複数の命令の1つのセットを含む少なくとも1つの非一時的コンピュータ読み取り可能な記憶媒体であって、ユーザ機器（UE）によって前記複数の命令の1つのセットを実行することに応答して、前記ユーザ機器（UE）は、無線リソース制御（RRC）接続制御メッセージを受信し、前記無線リソース制御（RRC）接続制御メッセージに含まれるRadioResourceConfigDedicatedフィールドに基づいて無線リソース構成手順を実行し、前記RadioResourceConfigDedicatedフィールドは、ネットワーク支援干渉除去及び抑圧（NAICS）アシスタンス情報を含むように構成され、前記ネットワーク支援干渉除去及び抑圧（NAICS）アシスタンス情報は、前記ユーザ機器（UE）のサービングセルの物理ダウンリンク共有チャネル（PDSCH）を介する前記ユーザ機器（UE）への直角位相シフトキーイング（QPSK）変調されるセル無線ネットワーク一時識別子（C-RNTI）ベースの送信のための電力オフセット値を指定する、少なくとも1つの非一時的コンピュータ読み取り可能な記憶媒体である。
【０１３５】
例74は、例73に記載の少なくとも1つの非一時的コンピュータ読み取り可能な記憶媒体において、前記ネットワーク支援干渉除去及び抑圧（NAICS）アシスタンス情報は、前記RadioResourceConfigDedicatedフィールドのサブフィールドの中に含まれるように構成される、少なくとも1つの非一時的コンピュータ読み取り可能な記憶媒体である。
【０１３６】
例75は、例73に記載の少なくとも1つの非一時的コンピュータ読み取り可能な記憶媒体において、前記RadioResourceConfigDedicatedフィールドは、前記サービングセルの前記物理ダウンリンク共有チャネル（PDSCH）を介する前記ユーザ機器（UE）への複数の直交振幅変調（QAM）される送信のための電力オフセット値を特定する情報を含むように構成される、少なくとも1つの非一時的コンピュータ読み取り可能な記憶媒体である。
【０１３７】
例76は、例73に記載の少なくとも1つの非一時的コンピュータ読み取り可能な記憶媒体において、前記電力オフセット値は、-6dB、-4.77dB、-3dB、-1.77dB、0dB、1dB、2dB、及び3dBを含む値の1つの定義されるセットに含まれるように構成される、少なくとも1つの非一時的コンピュータ読み取り可能な記憶媒体である。
【０１３８】
例77は、例73に記載の少なくとも1つの非一時的コンピュータ読み取り可能な記憶媒体において、前記無線リソース制御（RRC）接続制御メッセージは、RRCConnectionSetupメッセージ、RRCConnectionReestablishmentメッセージ、又はRRCConnectionReconfigurationメッセージを含むように構成される、少なくとも1つの非一時的コンピュータ読み取り可能な記憶媒体である。
【０１３９】
例78は、例73に記載の少なくとも1つの非一時的コンピュータ読み取り可能な記憶媒体において、前記ユーザ機器（UE）によって前記複数の命令の1つのセットを実行することに応答して、前記ユーザ機器（UE）に、前記ユーザ機器（UE）の前記サービングセルの前記物理ダウンリンク共有チャネル（PDSCH）を介する前記ユーザ機器（UE）への前記直角位相シフトキーイング（QPSK）変調されるセル無線ネットワーク一時識別子（C-RNTI）ベースの送信のための前記電力オフセット値に基づいて、1つ又は複数のネットワーク支援干渉除去及び抑圧（NAICS）セル間干渉軽減アルゴリズムを適用させる命令を含む、少なくとも1つの非一時的コンピュータ読み取り可能な記憶媒体である。
【０１４０】
例79は、無線通信方法であって、進化型NodeB（eNB）によってサービスを提供されるセルの物理ダウンリンク共有チャネル（PDSCH）を介する直角位相シフトキーイング（QPSK）変調されるセル無線ネットワーク一時識別子（C-RNTI）ベースの送信のための電力オフセット値を前記進化型NodeB（eNB）における処理回路によって選択するステップと、無線リソース制御（RRC）接続制御メッセージを送信するステップであって、前記無線リソース制御（RRC）接続制御メッセージは、ネットワーク支援干渉除去及び抑圧（NAICS）アシスタンス情報を含み、前記ネットワーク支援干渉除去及び抑圧（NAICS）アシスタンス情報は、選択される前記電力オフセット値を特定する、送信するステップとを含む、無線通信方法である。
【０１４１】
例80は、例79に記載の無線通信方法において、前記ネットワーク支援干渉除去及び抑圧（NAICS）アシスタンス情報は、前記無線リソース制御（RRC）接続制御メッセージのRadioResourceConfigDedicatedフィールドの中に含まれるように構成される、無線通信方法である。
【０１４２】
例81は、例79に記載の無線通信方法において、前記電力オフセット値は、電力オフセットパラメータのための値を含むように構成され、前記電力オフセットパラメータは、リソースエレメントごとの物理ダウンリンク共有チャネル（PDSCH）エネルギー（PDSCH  EPRE）とリソースエレメントごとのセル特有参照信号（CRS）エネルギー（CRS  EPRE）との間の比率を決定する、無線通信方法である。
【０１４３】
例82は、例79に記載の無線通信方法において、前記物理ダウンリンク共有チャネル（PDSCH）を介する前記直角位相シフトキーイング（QPSK）変調されるセル無線ネットワーク一時識別子（C-RNTI）ベースの送信のための前記電力オフセット値及び前記物理ダウンリンク共有チャネル（PDSCH）を介する直交振幅変調（QAM）される送信のための電力オフセット値を、複数の値の1つの共通のセットから選択するステップを含む、無線通信方法である。
【０１４４】
例83は、例79に記載の無線通信方法において、-6dB、-4.77dB、-3dB、-1.77dB、0dB、1dB、2dB、及び3dBを含む値の1つの定義されるセットから、前記物理ダウンリンク共有チャネル（PDSCH）を介する前記直角位相シフトキーイング（QPSK）変調されるセル無線ネットワーク一時識別子（C-RNTI）ベースの送信のための電力オフセット値を選択するステップを含む、無線通信方法である。
【０１４５】
例84は、例79に記載の無線通信方法において、前記無線リソース制御（RRC）接続制御メッセージは、RRCConnectionSetupメッセージ、RRCConnectionReestablishmentメッセージ、又はRRCConnectionReconfigurationメッセージを含む、無線通信方法である。
【０１４６】
例85は、複数の命令の1つのセットを含む少なくとも1つの非一時的コンピュータ読み取り可能な記憶媒体であって、コンピューティングデバイスの上で前記複数の命令の1つのセットを実行することに応答して、例79乃至84のいずれかに記載の無線通信方法を前記コンピューティングデバイスに実行させる、少なくとも1つの非一時的コンピュータ読み取り可能な記憶媒体である。
【０１４７】
例86は、例79乃至84のいずれかに記載の無線通信方法を実行する手段を含む装置である。
【０１４８】
例87は、例86に記載の装置と、1つ又は複数の無線周波数（RF）トランシーバと、1つ又は複数の無線周波数（RF）アンテナとを含む、システムである。
【０１４９】
例88は、例87に記載のシステムにおいて、少なくとも1つのメモリユニットを含む、システムである。
【０１５０】
例89は、ユーザ機器（UE）であって、RadioResourceConfigDedicatedフィールドを含む無線リソース制御（RRC）接続制御メッセージを受信する手段であって、前記無線リソース制御（RRC）接続制御メッセージは、ネットワーク支援干渉除去及び抑圧（NAICS）アシスタンス情報を含むように構成され、前記ネットワーク支援干渉除去及び抑圧（NAICS）アシスタンス情報は、当該ユーザ機器（UE）のサービングセルの物理ダウンリンク共有チャネル（PDSCH）を介する当該ユーザ機器（UE）への1つ又は複数の送信のための電力オフセット値を特定する、受信する手段と、前記無線リソース制御（RRC）接続制御メッセージの受信に応答して無線リソース構成手順を実行する手段とを含む、ユーザ機器（UE）である。
【０１５１】
例90は、例89に記載のユーザ機器（UE）において、前記1つ又は複数の送信は、直角位相シフトキーイング（QPSK）変調されるセル無線ネットワーク一時識別子（C-RNTI）ベースの送信を含む、ユーザ機器（UE）である。
【０１５２】
例91は、例90に記載のユーザ機器（UE）において、前記無線リソース制御（RRC）接続制御メッセージは、前記サービングセルの前記物理ダウンリンク共有チャネル（PDSCH）を介する当該ユーザ機器（UE）への1つ又は複数の直交振幅変調（QAM）される送信のための電力オフセット値を特定する情報を含むように構成される、ユーザ機器（UE）である。
【０１５３】
例92は、例89に記載のユーザ機器（UE）において、前記ネットワーク支援干渉除去及び抑圧（NAICS）アシスタンス情報は、前記RadioResourceConfigDedicatedフィールドのサブフィールドの中に含まれるように構成される、ユーザ機器（UE）である。
【０１５４】
例93は、例89に記載のユーザ機器（UE）において、前記電力オフセット値は、-6dB、-4.77dB、-3dB、-1.77dB、0dB、1dB、2dB、及び3dBを含む値の1つの定義されるセットに含まれるように構成される、ユーザ機器（UE）である。
【０１５５】
例94は、例89に記載のユーザ機器（UE）において、前記無線リソース制御（RRC）接続制御メッセージは、RRCConnectionSetupメッセージ、RRCConnectionReestablishmentメッセージ、又はRRCConnectionReconfigurationメッセージを含むように構成される、ユーザ機器（UE）である。
【０１５６】
例95は、例89乃至94のいずれかに記載のユーザ機器（UE）において、1つ又は複数の無線周波数（RF）トランシーバと1つ又は複数の無線周波数（RF）アンテナとを含む、ユーザ機器（UE）である。
【０１５７】
例96は、例95に記載のユーザ機器（UE）において、タッチスクリーンディスプレイを含む、ユーザ機器（UE）である。
【０１５８】
例97は、無線通信方法であって、無線リソース制御（RRC）接続制御メッセージをユーザ機器（UE）において受信するステップと、前記無線リソース制御（RRC）接続制御メッセージに含まれるRadioResourceConfigDedicatedフィールドに基づいて無線リソース構成手順を前記ユーザ機器（UE）の処理回路によって実行するステップとを含み、前記RadioResourceConfigDedicatedフィールドは、ネットワーク支援干渉除去及び抑圧（NAICS）アシスタンス情報を含むように構成され、前記ネットワーク支援干渉除去及び抑圧（NAICS）アシスタンス情報は、前記ユーザ機器（UE）のサービングセルの物理ダウンリンク共有チャネル（PDSCH）を介する前記ユーザ機器（UE）への直角位相シフトキーイング（QPSK）変調されるセル無線ネットワーク一時識別子（C-RNTI）ベースの送信のための電力オフセット値を指定する、無線通信方法である。
【０１５９】
例98は、例97に記載の無線通信方法において、前記ネットワーク支援干渉除去及び抑圧（NAICS）アシスタンス情報は、前記RadioResourceConfigDedicatedフィールドのサブフィールドの中に含まれるように構成される、無線通信方法である。
【０１６０】
例99は、例97に記載の無線通信方法において、前記RadioResourceConfigDedicatedフィールドは、前記サービングセルの前記物理ダウンリンク共有チャネル（PDSCH）を介する前記ユーザ機器（UE）への複数の直交振幅変調（QAM）される送信のための電力オフセット値を特定する情報を含むように構成される、無線通信方法である。
【０１６１】
例100は、例97に記載の無線通信方法において、前記電力オフセット値は、-6dB、-4.77dB、-3dB、-1.77dB、0dB、1dB、2dB、及び3dBを含む値の1つの定義されるセットに含まれるように構成される、無線通信方法である。
【０１６２】
例101は、例97に記載の無線通信方法において、前記無線リソース制御（RRC）接続制御メッセージは、RRCConnectionSetupメッセージ、RRCConnectionReestablishmentメッセージ、又はRRCConnectionReconfigurationメッセージを含むように構成される、無線通信方法である。
【０１６３】
例102は、例97に記載の無線通信方法において、前記ユーザ機器（UE）の前記サービングセルの前記物理ダウンリンク共有チャネル（PDSCH）を介する前記ユーザ機器（UE）への前記直角位相シフトキーイング（QPSK）変調されるセル無線ネットワーク一時識別子（C-RNTI）ベースの送信のための前記電力オフセット値に基づいて、1つ又は複数のネットワーク支援干渉除去及び抑圧（NAICS）セル間干渉軽減アルゴリズムを適用するステップを含む、無線通信方法である。
【０１６４】
例103は、複数の命令の1つのセットを含む少なくとも1つの非一時的コンピュータ読み取り可能な記憶媒体であって、コンピューティングデバイスの上で前記複数の命令の1つのセットを実行することに応答して、例97乃至102のいずれかに記載の無線通信方法を前記コンピューティングデバイスに実行させる、少なくとも1つの非一時的コンピュータ読み取り可能な記憶媒体である。
【０１６５】
例104は、例97乃至102のいずれかに記載の無線通信方法を実行する手段を含む装置である。
【０１６６】
例105は、例104に記載の装置と、1つ又は複数の無線周波数（RF）トランシーバと、1つ又は複数の無線周波数（RF）アンテナとを含む、システムである。
【０１６７】
例106は、例105に記載のシステムにおいて、タッチスクリーンディスプレイを含む、システムである。
【０１６８】
例107は、進化型NodeB（eNB）であって、当該進化型NodeB（eNB）によってサービスを提供されるセルの物理ダウンリンク共有チャネル（PDSCH）を介する直角位相シフトキーイング（QPSK）変調されるセル無線ネットワーク一時識別子（C-RNTI）ベースの送信のための電力オフセット値を選択する手段と、無線リソース制御（RRC）接続制御メッセージを送信する手段であって、前記無線リソース制御（RRC）接続制御メッセージは、ネットワーク支援干渉除去及び抑圧（NAICS）アシスタンス情報を含み、前記ネットワーク支援干渉除去及び抑圧（NAICS）アシスタンス情報は、選択される前記電力オフセット値を特定する、送信する手段とを含む、進化型NodeB（eNB）である。
【０１６９】
例108は、例107に記載の進化型NodeB（eNB）において、前記ネットワーク支援干渉除去及び抑圧（NAICS）アシスタンス情報は、前記無線リソース制御（RRC）接続制御メッセージのRadioResourceConfigDedicatedフィールドの中に含まれるように構成される、進化型NodeB（eNB）である。
【０１７０】
例109は、例107に記載の進化型NodeB（eNB）において、前記電力オフセット値は、電力オフセットパラメータのための値を含むように構成され、前記電力オフセットパラメータは、リソースエレメントごとの物理ダウンリンク共有チャネル（PDSCH）エネルギー（PDSCH  EPRE）とリソースエレメントごとのセル特有参照信号（CRS）エネルギー（CRS  EPRE）との間の比率を決定する、進化型NodeB（eNB）である。
【０１７１】
例110は、例107に記載の進化型NodeB（eNB）において、前記物理ダウンリンク共有チャネル（PDSCH）を介する前記直角位相シフトキーイング（QPSK）変調されるセル無線ネットワーク一時識別子（C-RNTI）ベースの送信のための前記電力オフセット値及び前記物理ダウンリンク共有チャネル（PDSCH）を介する直交振幅変調（QAM）される送信のための電力オフセット値を、複数の値の1つの共通のセットから選択する手段を含む、進化型NodeB（eNB）である。
【０１７２】
例111は、例107に記載の進化型NodeB（eNB）において、-6dB、-4.77dB、-3dB、-1.77dB、0dB、1dB、2dB、及び3dBを含む値の1つの定義されるセットから、前記物理ダウンリンク共有チャネル（PDSCH）を介する前記直角位相シフトキーイング（QPSK）変調されるセル無線ネットワーク一時識別子（C-RNTI）ベースの送信のための電力オフセット値を選択する手段を含む、進化型NodeB（eNB）である。
【０１７３】
例112は、例107に記載の進化型NodeB（eNB）において、前記無線リソース制御（RRC）接続制御メッセージは、RRCConnectionSetupメッセージ、RRCConnectionReestablishmentメッセージ、又はRRCConnectionReconfigurationメッセージを含む、進化型NodeB（eNB）である。
【０１７４】
例113は、例107乃至112のいずれかに記載の進化型NodeB（eNB）において、1つ又は複数の無線周波数（RF）トランシーバと1つ又は複数の無線周波数（RF）アンテナとを含む、進化型NodeB（eNB）である。
【０１７５】
例114は、例113に記載の進化型NodeB（eNB）において、少なくとも1つのメモリユニットを含む、進化型NodeB（eNB）である。
【０１７６】
例115は、ユーザ機器（UE）であって、少なくとも一部がハードウェアの形態であるロジックを含み、前記ロジックは、RadioResourceConfigDedicatedフィールドを含む無線リソース制御（RRC）接続制御メッセージを受信し、前記無線リソース制御（RRC）接続制御メッセージの受信に応答して無線リソース構成手順を実行し、前記無線リソース制御（RRC）接続制御メッセージは、ネットワーク支援干渉除去及び抑圧（NAICS）アシスタンス情報を含むように構成され、前記ネットワーク支援干渉除去及び抑圧（NAICS）アシスタンス情報は、当該ユーザ機器（UE）のサービングセルの物理ダウンリンク共有チャネル（PDSCH）を介する当該ユーザ機器（UE）への1つ又は複数の送信のための電力オフセット値を特定する、ユーザ機器（UE）である。
【０１７７】
例116は、例115に記載のユーザ機器（UE）において、前記1つ又は複数の送信は、直角位相シフトキーイング（QPSK）変調されるセル無線ネットワーク一時識別子（C-RNTI）ベースの送信を含む、ユーザ機器（UE）である。
【０１７８】
例117は、例116に記載のユーザ機器（UE）において、前記無線リソース制御（RRC）接続制御メッセージは、前記サービングセルの前記物理ダウンリンク共有チャネル（PDSCH）を介する当該ユーザ機器（UE）への1つ又は複数の直交振幅変調（QAM）される送信のための電力オフセット値を特定する情報を含むように構成される、ユーザ機器（UE）である。
【０１７９】
例118は、例115に記載のユーザ機器（UE）において、前記ネットワーク支援干渉除去及び抑圧（NAICS）アシスタンス情報は、前記RadioResourceConfigDedicatedフィールドのサブフィールドの中に含まれるように構成される、ユーザ機器（UE）である。
【０１８０】
例119は、例115に記載のユーザ機器（UE）において、前記電力オフセット値は、-6dB、-4.77dB、-3dB、-1.77dB、0dB、1dB、2dB、及び3dBを含む値の1つの定義されるセットに含まれるように構成される、ユーザ機器（UE）である。
【０１８１】
例120は、例115に記載のユーザ機器（UE）において、前記無線リソース制御（RRC）接続制御メッセージは、RRCConnectionSetupメッセージ、RRCConnectionReestablishmentメッセージ、又はRRCConnectionReconfigurationメッセージを含むように構成される、ユーザ機器（UE）である。
【０１８２】
例121は、例115乃至120のいずれかに記載のユーザ機器（UE）において、1つ又は複数の無線周波数（RF）トランシーバと1つ又は複数の無線周波数（RF）アンテナとを含む、ユーザ機器（UE）である。
【０１８３】
例122は、例121に記載のユーザ機器（UE）において、タッチスクリーンディスプレイを含む、ユーザ機器（UE）である。
【０１８４】
例123は、複数の命令の1つのセットを含む少なくとも1つの非一時的コンピュータ読み取り可能な記憶媒体であって、進化型NodeB（eNB）によって前記複数の命令の1つのセットを実行することに応答して、前記進化型NodeB（eNB）は、前記進化型NodeB（eNB）によってサービスを提供されるセルの物理ダウンリンク共有チャネル（PDSCH）を介する直角位相シフトキーイング（QPSK）変調されるセル無線ネットワーク一時識別子（C-RNTI）ベースの送信のための電力オフセット値を含む第1の電力オフセット値を選択し、前記進化型NodeB（eNB）によってサービスを提供される前記セルの前記物理ダウンリンク共有チャネル（PDSCH）を介する直交振幅変調（QAM）される送信のための電力オフセット値を含む第2の電力オフセット値を選択し、無線リソース制御（RRC）接続制御メッセージを送信し、前記無線リソース制御（RRC）接続制御メッセージは、RadioResourceConfigDedicatedフィールドを収容し、前記RadioResourceConfigDedicatedフィールドは、前記第1の電力オフセット値及び前記第2の電力オフセット値を含む、少なくとも1つの非一時的コンピュータ読み取り可能な記憶媒体である。
【０１８５】
例124は、例123に記載の少なくとも1つの非一時的コンピュータ読み取り可能な記憶媒体において、前記RadioResourceConfigDedicatedフィールドは、ネットワーク支援干渉除去及び抑圧（NAICA）アシスタンス情報を含むように構成され、前記ネットワーク支援干渉除去及び抑圧（NAICS）アシスタンス情報は、前記第1の電力オフセット値を特定する、少なくとも1つの非一時的コンピュータ読み取り可能な記憶媒体である。
【０１８６】
例125は、例124に記載の少なくとも1つの非一時的コンピュータ読み取り可能な記憶媒体において、前記ネットワーク支援干渉除去及び抑圧（NAICS）アシスタンス情報は、前記RadioResourceConfigDedicatedフィールドのサブフィールドの中に含まれるように構成される、少なくとも1つの非一時的コンピュータ読み取り可能な記憶媒体である。
【０１８７】
例126は、例123に記載の少なくとも1つの非一時的コンピュータ読み取り可能な記憶媒体において、前記進化型NodeB（eNB）によって前記複数の命令の1つのセットを実行することに応答して、前記進化型NodeB（eNB）に、複数の値の1つの共通のセットから前記第1の電力オフセット値及び前記第2の電力オフセット値を選択させる命令を含む、少なくとも1つの非一時的コンピュータ読み取り可能な記憶媒体である。
【０１８８】
例127は、例123に記載の少なくとも1つの非一時的コンピュータ読み取り可能な記憶媒体において、前記進化型NodeB（eNB）によって前記複数の命令の1つのセットを実行することに応答して、前記進化型NodeB（eNB）に、-6dB、-4.77dB、-3dB、-1.77dB、0dB、1dB、2dB、及び3dBを含む値の1つの定義されるセットから、前記第1の電力オフセット値を選択させる命令を含む、少なくとも1つの非一時的コンピュータ読み取り可能な記憶媒体である。
【０１８９】
例128は、例123に記載の少なくとも1つの非一時的コンピュータ読み取り可能な記憶媒体において、前記無線リソース制御（RRC）接続制御メッセージは、RRCConnectionSetupメッセージ、RRCConnectionReestablishmentメッセージ、又はRRCConnectionReconfigurationメッセージを含むように構成される、少なくとも1つの非一時的コンピュータ読み取り可能な記憶媒体である。
【０１９０】
数多くの特定の細部が本明細書に記載され、複数の実施形態の完全な理解を促す。しかしながら、本願発明の技術分野の当業者であれば、それらの複数の実施形態は、上記の特定の細部を用いることなく実用化されうるということを理解するであろう。他の例では、上記の複数の実施形態を不明瞭にしないように、よく知られている動作、構成要素、及び回路は、詳細には説明されていない。特有の構造的な及び機能的な細部は、代表的なものであってもよく、必ずしも、上記の複数の実施形態の範囲を限定するものではないということが理解できるであろう。
【０１９１】
実施形態のうちのいくつかは、「結合される」及び「接続される」との表現とともに、これらの派生語を使用して説明されてもよい。例えば、実施形態のうちのいくつかは、「接続される」及び/又は「結合される」との記載を使用して説明され、2つ又はそれ以上の要素が互いに直接物理的に或いは電気的に接触状態にあるということを示している。しかしながら、「結合される」との表現は、2つ又はそれ以上の要素が互いに直接接触状態にはないが、互いに協働する又は相互作用を及ぼすということを意味してもよい。
【０１９２】
「処理する（processing）」、「計算する（computing）」、「算出する（calculating）」、「決定する（determining）」、又はその他同様のもの等の語は、コンピュータ、コンピューティングシステム、又は同様の電子計算デバイスの動作及び/又は1つ又は複数のプロセスを指していてもよく、これらのコンピュータ、コンピューティングシステム、又は同様の電子計算デバイスは、コンピューティングシステムの複数のレジスタ及び/又は複数のメモリ内で（電子的な）物理量として表現されるデータを、コンピューティングシステムの複数のメモリ、レジスタ、又は他の情報記憶媒体、送信又は表示デバイス内で同様に物理量として表現される他のデータに操作し及び/又は変換してもよい。実施形態は、上記の態様には限定されない。
【０１９３】
本明細書で説明されている方法は、説明された順序で又はいずれかの特定の順序で実行される必要はないということに留意すべきである。さらに、本明細書で特定される方法と関連して説明されるさまざまな動作は、シリアルに実行されてもよく、又はパラレルに実行されてもよい。
【０１９４】
特定の実施形態が図示され及び説明されてきたが、同一の目的を達成するように計算されたいずれかの配列は、示されているその特定の実施形態と置換されてもよい。上記の開示は、さまざまな実施形態の適合又は変更のいずれか又はすべてを取り扱うことを意図している。上記の説明は、例示的な方法でなされたものであって、限定的な方法でなされたものではないということを理解すべきである。上記の実施形態の組み合わせ及び本明細書において具体的には説明されていない他の実施形態は、上記の説明を参酌すれば、当業者には明らかとなるであろう。このようにして、さまざまな実施形態の範囲は、上記の構成、構造、及び方法が使用されているいずれかの他の応用を含む。
【０１９５】
要約書は、37C.F.R.§1.72(b)に適合するように記載され、37C.F.R.§1.72(b)は、読者が技術的な開示の性質を迅速に解明することができるようにすることを要求しているということを注記しておく。要約が請求項に記載された発明の範囲又は意味を解釈する或いは限定するのに使用されないのは、要約が理解のために提出されるからである。さらに、上記の発明を実施するための最良の形態の中で、開示内容を効率的にする目的で、さまざまな特徴が単一の実施形態の中にグループとしてまとめられうるということが理解できるであろう。このような開示の手法は、実施形態のうちの請求項に係る発明の部分が、各請求項に明白に記載されている特徴よりもより多くの特徴を必要とするという意図を反映しているものとして解釈されるべきではない。むしろ、以下の特許請求の範囲が反映しているように、発明の主題は、開示されている単一の実施形態のすべての特徴よりもより少ない特徴の中に存在している。このようにして、以下の特許請求の範囲は、発明を実施するための最良の形態の中に組み込まれ、各請求項は、好適な実施形態としてそれ自体で独立して存在している。添付の特許請求の範囲の中では、“including”及び“in  which”といった語が、それぞれ、“comprising”及び”wherein”の平易な同義語として使用されることもある。さらに、序数的形容詞“第1の（first）”、“第2の（second）”、及び“第3の（third）”等は、ラベルとして使用されるにすぎず、それらの序数的形容詞の対象に数的な要件を付加することを意図するものではない。
【０１９６】
本願発明の主題が、構造的な特徴及び/又は方法の動作に特有の記載で説明されてきたが、添付の特許請求の範囲で規定される主題は、必ずしも、上記で説明されたその特有の特徴又は動作に限定されないということを理解すべきである。むしろ、上記で説明されたそれらの特有の特徴及び動作は、請求項に係る発明を実装する一例としての形態で開示されている。
【図１】
2017522778.tif 000003
【図２】
2017522778.tif 000004
【図３】
2017522778.tif 000005
【図４】
2017522778.tif 000006
【図５】
2017522778.tif 000007
【図６】
2017522778.tif 000008
【図７Ａ】
2017522778.tif 000009
【図７Ｂ】
2017522778.tif 000010
【図８】
2017522778.tif 000011
【図９】
2017522778.tif 000012
【国際調査報告】
2017522778.tif 000013
2017522778.tif 000014